(57)【要約】  内燃機関の排気浄化装置は、上流側触媒と下流側触媒とを含み、ＮＯＸと炭化水素とを反応させる排気浄化触媒を備える。上流側触媒は酸化能力を有し、下流側触媒は、排気流通表面上に貴金属の触媒粒子が担持されていると共に、塩基性の排気流通表面部分が形成されている。排気浄化触媒は、炭化水素の濃度を予め定められた範囲内の振幅および予め定められた範囲内の周期でもって振動させることにより、ＮＯＸを浄化する。上流側触媒は、炭化水素を予め定められた効率にて部分酸化できる高効率温度を有する。排気浄化装置は、炭化水素を供給している期間には上流側触媒が高効率温度未満になり、炭化水素を供給した後に上流側触媒が高効率温度以上になるように上流側触媒の温度を制御する。
2013080330.tif 000002
【特許請求の範囲】
【請求項１】
機関排気通路内に排気に含まれるＮＯＸと炭化水素とを反応させるための排気浄化触媒を備え、排気浄化触媒は、上流側触媒と下流側触媒とを含み、上流側触媒は酸化能力を有し、下流側触媒は、排気流通表面上に貴金属の触媒粒子が担持されていると共に触媒粒子の周りには塩基性の排気流通表面部分が形成されており、
排気浄化触媒は、排気浄化触媒に流入する炭化水素の濃度を予め定められた範囲内の振幅および予め定められた範囲内の周期でもって振動させると排気中に含まれるＮＯＸを還元する性質を有すると共に、炭化水素濃度の振動周期を前記予め定められた範囲よりも長くすると排気中に含まれるＮＯＸの吸蔵量が増大する性質を有しており、
機関運転時に排気浄化触媒に流入する炭化水素の濃度を前記予め定められた範囲内の振幅および前記予め定められた範囲内の周期でもって振動させ、排気中に含まれるＮＯＸを排気浄化触媒において還元する制御を行なうように形成されており、
上流側触媒の温度を調整する温度制御装置を更に備え、
排気浄化触媒は、炭化水素の濃度を前記予め定められた範囲内の振幅および前記予め定められた範囲内の周期でもって振動させることにより、上流側触媒において少なくとも一部の炭化水素を部分酸化し、
上流側触媒は、炭化水素を部分酸化するときに予め定められた効率にて部分酸化できる高効率温度を有し、
温度制御装置は、炭化水素を供給している期間には上流側触媒が高効率温度未満になり、炭化水素を供給した後に上流側触媒が高効率温度以上になるように、上流側触媒の温度を調整することを特徴とする、内燃機関の排気浄化装置。
【請求項２】
温度制御装置は、排気浄化触媒に炭化水素が供給されて上流側触媒に炭化水素が吸着した後に上流側触媒の温度を上昇させる、請求項１に記載の内燃機関の排気浄化装置。
【請求項３】
上流側触媒の高効率温度に基づいた上流側触媒の判定温度が予め定められており、
温度制御装置は、上流側触媒の温度を検出し、上流側触媒の温度が判定温度未満の場合に、判定温度と上流側触媒の温度との差に基づいて上流側触媒の温度を上昇させる、請求項１に記載の内燃機関の排気浄化装置。
【請求項４】
上流側触媒は、電気加熱式触媒により構成されており、
温度制御装置は、上流側触媒に通電することにより上流側触媒の温度を上昇させる、請求項１に記載の内燃機関の排気浄化装置。
【請求項５】
温度制御装置は、燃焼室において出力を生じる主噴射の後に補助噴射を行なうにより、軽質の燃料を上流側触媒に供給し、上流側触媒において燃料が酸化することにより上流側触媒の温度を上昇させる、請求項１に記載の内燃機関の排気浄化装置。
【請求項６】
排気浄化触媒は、上流側触媒と下流側触媒とが一体化された触媒により構成されている、請求項１に記載の内燃機関の排気浄化装置。
【発明の詳細な説明】
【技術分野】
【０００１】
本発明は、内燃機関の排気浄化装置に関する。
【背景技術】
【０００２】
ディーゼルエンジンやガソリンエンジンなどの内燃機関の排気には、例えば、一酸化炭素（ＣＯ）、未燃燃料（ＨＣ）、窒素酸化物（ＮＯＸ）または粒子状物質（ＰＭ：Particulate Matter）などの成分が含まれている。内燃機関には、これらの成分を浄化するために排気浄化装置が取り付けられる。【０００３】
特開２００７−１５４７９４号公報においては、複数の分岐通路と、各分岐通路に配置された排気浄化触媒と、排気浄化触媒の上流側に配置された燃料添加弁とを備える内燃機関の排気浄化システムが開示されている。この排気浄化システムは、複数の分岐通路のうち一部の分岐通路の排気浄化触媒の上流側にヒータ付き触媒を備え、排気浄化触媒を暖機する際には、ヒータ付き触媒を備えた分岐通路の排気流量を減少させる。そして、他の分岐通路に排気を集中して通過させ、他の分岐通路における排気浄化触媒を暖機することが開示されている。排気流量を減少させた分岐通路については、ヒータ付き触媒に通電して排気浄化触媒の暖機を図る。また、この公報には、ヒータ付き触媒が活性化温度に到達すると、通電を停止して燃料添加弁から燃料を噴射することにより、ヒータ付き触媒において生じる燃料の酸化反応により排気を昇温することが開示されている。
【先行技術文献】
【特許文献】
【０００４】
【特許文献１】特開２００７−１５４７９４号公報
【発明の概要】
【発明が解決しようとする課題】
【０００５】
排気に含まれる窒素酸化物を除去する方法として、機関排気通路にＮＯＸ吸蔵触媒を配置することが知られている。ＮＯＸ吸蔵触媒は、流入する排気の空燃比がリーンの時には排気に含まれるＮＯＸを吸蔵し、流入する排気の空燃比がリッチになると吸蔵したＮＯＸを放出すると共にＮＯＸを還元する機能を有する。【０００６】
上記の公報には昇温を行なうための排気浄化触媒として、ＮＯＸ吸蔵触媒を配置することが開示されている。上記の公報に開示された排気浄化システムは、ＮＯＸ吸蔵触媒の上流側に配置されているヒータ付触媒を高温にすることにより、ＮＯＸ吸蔵触媒に流入する排気の温度を上昇させて、ＮＯＸ吸蔵触媒を短時間の間に活性化することが開示されている。始動時等に短時間にＮＯＸ吸蔵触媒を活性化温度以上に昇温することができて、ＮＯＸを浄化することができる。ところで、ＮＯＸ吸蔵触媒は、活性化温度以上に昇温することによりＮＯＸの浄化率を大きくすることができるが、温度が高くなりすぎるとＮＯＸの浄化率が低下する場合があった。【０００７】
本発明は、窒素酸化物の浄化能力に優れた内燃機関の排気浄化装置を提供することを目的とする。
【課題を解決するための手段】
【０００８】
本発明の内燃機関の排気浄化装置は、機関排気通路内に排気に含まれるＮＯＸと炭化水素とを反応させるための排気浄化触媒を備える。排気浄化触媒は、上流側触媒と下流側触媒とを含む。上流側触媒は酸化能力を有し、下流側触媒は、排気流通表面上に貴金属の触媒粒子が担持されていると共に触媒粒子の周りには塩基性の排気流通表面部分が形成されている。排気浄化触媒は、排気浄化触媒に流入する炭化水素の濃度を予め定められた範囲内の振幅および予め定められた範囲内の周期でもって振動させると排気中に含まれるＮＯＸを還元する性質を有すると共に、炭化水素濃度の振動周期を予め定められた範囲よりも長くすると排気中に含まれるＮＯＸの吸蔵量が増大する性質を有している。機関運転時に排気浄化触媒に流入する炭化水素の濃度を予め定められた範囲内の振幅および予め定められた範囲内の周期でもって振動させ、排気中に含まれるＮＯＸを排気浄化触媒において還元する制御を行なうように形成されている。排気浄化装置は、上流側触媒の温度を調整する温度制御装置を更に備える。排気浄化触媒は、炭化水素の濃度を予め定められた範囲内の振幅および予め定められた範囲内の周期でもって振動させることにより、上流側触媒において少なくとも一部の炭化水素を部分酸化する。上流側触媒は、炭化水素を部分酸化するときに予め定められた効率にて部分酸化できる高効率温度を有する。温度制御装置は、炭化水素を供給している期間には上流側触媒が高効率温度未満になり、炭化水素を供給した後に上流側触媒が高効率温度以上になるように、上流側触媒の温度を調整する。【０００９】
上記発明においては、温度制御装置は、排気浄化触媒に炭化水素が供給されて上流側触媒に炭化水素が吸着した後に上流側触媒の温度を上昇させることができる。【００１０】
上記発明においては、上流側触媒の高効率温度に基づいた上流側触媒の判定温度が予め定められており、温度制御装置は、上流側触媒の温度を検出し、上流側触媒の温度が判定温度未満の場合に、判定温度と上流側触媒の温度との差に基づいて上流側触媒の温度を上昇させることができる。【００１１】
上記発明においては、上流側触媒は、電気加熱式触媒により構成されており、温度制御装置は、上流側触媒に通電することにより上流側触媒の温度を上昇させることができる。【００１２】
上記発明においては、温度制御装置は、燃焼室において出力を生じる主噴射の後に補助噴射を行なうにより、軽質の燃料を上流側触媒に供給し、上流側触媒において燃料が酸化することにより上流側触媒の温度を上昇させることができる。【００１３】
上記発明においては、排気浄化触媒は、上流側触媒と下流側触媒とが一体化された触媒により構成することができる。
【発明の効果】
【００１４】
本発明によれば、窒素酸化物の浄化能力に優れた内燃機関の排気浄化装置を提供することができる。
【図面の簡単な説明】
【００１５】
【図１】実施の形態における圧縮着火式の内燃機関の全体図である。
【図２Ａ】上流側触媒における触媒担体の表面部分の拡大概略図である。
【図２Ｂ】下流側触媒における触媒担体の表面部分の拡大概略図である。
【図３】上流側触媒における炭化水素の酸化反応を説明する図である。
【図４】第１のＮＯＸ浄化方法において、排気浄化触媒に流入する排気の空燃比の変化を示す図である。
【図５】第１のＮＯＸ浄化方法のＮＯＸ浄化率を示す図である。
【図６Ａ】第１のＮＯＸ浄化方法の下流側触媒における活性ＮＯＸの生成および還元性中間体の反応を説明する拡大概略図である。
【図６Ｂ】第１のＮＯＸ浄化方法の下流側触媒における還元性中間体の生成を説明する拡大概略図である。
【図７Ａ】第２のＮＯＸ浄化方法の下流側触媒におけるＮＯＸの吸蔵を説明する拡大概略図である。
【図７Ｂ】第２のＮＯＸ浄化方法の下流側触媒におけるＮＯＸの放出および還元を説明する拡大概略図である。
【図８】第２のＮＯＸ浄化方法において、下流側触媒に流入する排気の空燃比の変化を示す図である。
【図９】第２のＮＯＸ浄化方法のＮＯＸ浄化率を示す図である。
【図１０】第１のＮＯＸ浄化方法において、排気浄化触媒に流入する排気の空燃比の変化を示すタイムチャートである。
【図１１】第１のＮＯＸ浄化方法において、排気浄化触媒に流入する排気の空燃比の変化を示す他のタイムチャートである。
【図１２】第１のＮＯＸ浄化方法において、排気浄化触媒の酸化力と要求最小空燃比Ｘとの関係を示す図である。
【図１３】第１のＮＯＸ浄化方法において、同一のＮＯＸ浄化率の得られる、排気中の酸素濃度と炭化水素濃度の振幅ΔＨとの関係を示す図である。
【図１４】第１のＮＯＸ浄化方法において、炭化水素濃度の振幅ΔＨとＮＯＸ浄化率との関係を示す図である。
【図１５】第１のＮＯＸ浄化方法において、炭化水素濃度の振動周期ΔＴとＮＯＸ浄化率との関係を示す図である。
【図１６】第１のＮＯＸ浄化方法において、炭化水素供給量Ｗのマップを示す図である。
【図１７】第２のＮＯＸ浄化方法において、排気浄化触媒に吸蔵されるＮＯＸ量と排気浄化触媒に流入する排気の空燃比の変化を示す図である。
【図１８】機関本体から排出されるＮＯＸ量ＮＯＸＡのマップを示す図である。
【図１９】第２のＮＯＸ浄化方法において、燃焼室における燃料噴射時期を示す図である。
【図２０】第２のＮＯＸ浄化方法において、炭化水素供給量ＷＲのマップを示す図である。
【図２１Ａ】実施の形態における第１の排気浄化触媒の上流側触媒の概略正面図である。
【図２１Ｂ】実施の形態における第１の排気浄化触媒の上流側触媒の概略断面図である。
【図２２】実施の形態における第１の運転制御のタイムチャートである。
【図２３】実施の形態における第１の運転制御のフローチャートである。
【図２４】実施の形態における第２の運転制御のタイムチャートである。
【図２５】実施の形態における第３の運転制御のタイムチャートである。
【図２６】実施の形態における第２の排気浄化触媒の概略断面図である。
【図２７】実施の形態における第３の排気浄化触媒の概略断面図である。
【図２８Ａ】実施の形態における第４の排気浄化触媒の概略断面図である。
【図２８Ｂ】実施の形態における第４の排気浄化触媒の上流側触媒の概略斜視図である。
【発明を実施するための形態】
【００１６】
図１から図２８Ｂを参照して、実施の形態における内燃機関の排気浄化装置について説明する。本実施の形態においては、車両に取り付けられている圧縮着火式の内燃機関を例に取り上げて説明する。
【００１７】
図１は、本実施の形態における内燃機関の全体図である。内燃機関は、機関本体１を備える。また、内燃機関は、排気を浄化する排気浄化装置を備える。機関本体１は、各気筒としての燃焼室２と、それぞれの燃焼室２に燃料を噴射するための電子制御式の燃料噴射弁３と、吸気マニホールド４と、排気マニホールド５とを含む。
【００１８】
吸気マニホールド４は、吸気ダクト６を介して排気ターボチャージャ７のコンプレッサ７ａの出口に連結されている。コンプレッサ７ａの入口は、吸入空気量検出器８を介してエアクリーナ９に連結されている。吸気ダクト６内にはステップモータにより駆動されるスロットル弁１０が配置されている。更に、吸気ダクト６の途中には、吸気ダクト６内を流れる吸入空気を冷却するための冷却装置１１が配置されている。図１に示される実施例では、機関冷却水が冷却装置１１に導かれている。機関冷却水によって吸入空気が冷却される。
【００１９】
一方、排気マニホールド５は、排気ターボチャージャ７の排気タービン７ｂの入口に連結されている。本実施の形態における排気浄化装置は、排気に含まれるＮＯＸを浄化する排気浄化触媒１３を備える。排気浄化触媒１３は、排気に含まれるＮＯＸと炭化水素とを反応させる。本実施の形態における第１の排気浄化触媒１３は、上流側触媒６１と下流側触媒６２とを含む。上流側触媒６１と下流側触媒６２とは、直列に接続されている。排気浄化触媒１３は、排気管１２を介して排気タービン７ｂの出口に連結されている。
【００２０】
排気浄化触媒１３の上流には圧縮着火式内燃機関の燃料として用いられる軽油、又は、その他の燃料からなる炭化水素を供給するための炭化水素供給弁１５が配置されている。本実施の形態においては、炭化水素供給弁１５から供給される炭化水素として軽油が用いられている。なお、本発明は、燃焼時の空燃比がリーンに制御される火花点火式の内燃機関にも適用することができる。この場合、炭化水素供給弁からは火花点火式の内燃機関の燃料として用いられるガソリン又は、その他の燃料からなる炭化水素が供給される。
【００２１】
排気マニホールド５と吸気マニホールド４との間には、排気再循環（ＥＧＲ）を行うためにＥＧＲ通路１６が配置されている。ＥＧＲ通路１６には電子制御式のＥＧＲ制御弁１７が配置されている。また、ＥＧＲ通路１６の途中にはＥＧＲ通路１６内を流れるＥＧＲガスを冷却するための冷却装置１８が配置されている。図１に示される実施例では機関冷却水が冷却装置１８内に導かれている。機関冷却水によってＥＧＲガスが冷却される。
【００２２】
それぞれの燃料噴射弁３は、燃料供給管１９を介してコモンレール２０に連結されている。コモンレール２０は、電子制御式の吐出量可変な燃料ポンプ２１を介して燃料タンク２２に連結されている。燃料タンク２２に貯蔵される燃料は、燃料ポンプ２１によってコモンレール２０内に供給される。コモンレール２０内に供給された燃料は、それぞれの燃料供給管１９を介して燃料噴射弁３に供給される。
【００２３】
本実施の形態における電子制御ユニット３０は、デジタルコンピュータからなる。本実施の形態における電子制御ユニット３０は、排気浄化装置の制御装置として機能する。電子制御ユニット３０は、双方性バス３１によって互いに接続されたＲＯＭ（リードオンリメモリ）３２、ＲＡＭ（ランダムアクセスメモリ）３３、ＣＰＵ（マイクロプロセッサ）３４、入力ポート３５および出力ポート３６を含む。ＲＯＭ３２は、読み込み専用の記憶装置である。ＲＯＭ３２には、制御を行なうための必要なマップ等の情報が予め記憶されている。ＣＰＵ３４は、任意の演算や判別を行なうことができる。ＲＡＭ３３は、読み書きが可能な記憶装置である。ＲＡＭ３３は、運転履歴などの情報を保存したり、演算結果を保存したりすることができる。
【００２４】
上流側触媒６１の下流には、上流側触媒６１の温度を検出するための温度センサ２３が取付けられている。温度センサ２３および吸入空気量検出器８の出力信号は、夫々対応するＡＤ変換器３７を介して入力ポート３５に入力される。
【００２５】
また、アクセルペダル４０にはアクセルペダル４０の踏込み量に比例した出力電圧を発生する負荷センサ４１が接続されている。負荷センサ４１の出力電圧は対応するＡＤ変換器３７を介して入力ポート３５に入力される。更に入力ポート３５にはクランクシャフトが例えば１５°回転する毎に出力パルスを発生するクランク角センサ４２が接続される。クランク角センサ４２の出力により、クランク角度や機関回転数を検出することができる。一方、出力ポート３６は、対応する駆動回路３８を介して燃料噴射弁３、スロットル弁１０の駆動用ステップモータ、炭化水素供給弁１５、ＥＧＲ制御弁１７および燃料ポンプ２１に接続されている。これらの燃料噴射弁３、スロットル弁１０、炭化水素供給弁１５およびＥＧＲ制御弁１７等は、電子制御ユニット３０により制御されている。
【００２６】
図２Ａは、排気浄化触媒の上流側触媒の基体上に担持された触媒担体の表面部分を図解的に示している。上流側触媒６１は、酸化能力を有する触媒から構成されている。本実施の形態における上流側触媒６１は、いわゆる酸化触媒である。上流側触媒６１において、アルミナ等から形成されている触媒担体５０上には触媒粒子５１が担持されている。触媒粒子５１は、貴金属や遷移金属等の酸化を促進する触媒作用を有する材質から形成することができる。本実施の形態における触媒粒子５１は白金Ｐｔにより形成されている。
【００２７】
図２Ｂは、下流側触媒の基体上に担持された触媒担体の表面部分を図解的に示している。下流側触媒６２では、例えばアルミナからなる触媒担体５４上には貴金属の触媒粒子５５，５６が担持されている。更に、触媒担体５４上にはカリウムＫ、ナトリウムＮａ、セシウムＣｓのようなアルカリ金属、バリウムＢａ、カルシウムＣａのようなアルカリ土類金属、ランタノイドのような希土類および銀Ａｇ、銅Ｃｕ、鉄Ｆｅ、イリジウムＩｒのようなＮＯＸに電子を供与しうる金属から選ばれた少くとも一つを含む塩基性層５７が形成されている。排気は触媒担体５４上に沿って流れるので触媒粒子５５，５６は下流側触媒６２の排気流通表面上に担持されていると言える。また、塩基性層５７の表面は塩基性を呈するので、塩基性層５７の表面は塩基性の排気流通表面部分５８と称される。
【００２８】
図２Ｂにおいて、貴金属の触媒粒子５５は白金Ｐｔからなり、貴金属の触媒粒子５６はロジウムＲｈからなる。即ち、触媒担体５４に担持されている触媒粒子５５，５６は白金ＰｔおよびロジウムＲｈから構成されている。なお、下流側触媒６２の触媒担体５４上には白金ＰｔおよびロジウムＲｈに加えて更にパラジウムＰｄを担持させることができるし、或いはロジウムＲｈに代えてパラジウムＰｄを担持させることができる。即ち、触媒担体５４に担持されている触媒粒子５５，５６は、白金Ｐｔと、ロジウムＲｈおよびパラジウムＰｄの少なくとも一方とにより構成される。
【００２９】
図３は、排気浄化触媒の上流側触媒の基体上に担持された触媒担体の表面部分を図解的に示している。炭化水素供給弁１５から排気中に炭化水素が噴射されると、炭化水素は上流側触媒６１において改質される。即ち、炭化水素供給弁１５から噴射された炭化水素ＨＣは上流側触媒６１の触媒作用によって炭素数の少ないラジカル状の炭化水素ＨＣとなる。本発明ではこのとき改質された炭化水素を用いて下流側触媒６２においてＮＯＸを浄化するようにしている。
【００３０】
また、燃料噴射弁３から燃焼室２内に燃料、即ち炭化水素を膨張行程の後半或いは排気行程中に噴射してもこの炭化水素は燃焼室２内又は上流側触媒６１において改質され、排気中に含まれるＮＯＸはこの改質された炭化水素によって浄化される。従って本発明では炭化水素供給弁１５から機関排気通路内に炭化水素を供給する代りに、膨張行程に後半或いは排気行程中に燃焼室２内に炭化水素を供給することもできる。このように本発明では炭化水素を燃焼室２内に供給することもできるが、以下炭化水素を炭化水素供給弁１５から機関排気通路内に噴射するようにした場合を例にとって本発明を説明する。
【００３１】
図４は、炭化水素供給弁からの炭化水素の供給タイミングと排気浄化触媒に流入する排気の空燃比（Ａ／Ｆ）inの変化とを示している。なお、この空燃比（Ａ／Ｆ）inの変化は排気浄化触媒１３に流入する排気中の炭化水素の濃度変化に依存しているので図４に示される空燃比（Ａ／Ｆ）inの変化は炭化水素の濃度変化を表しているとも言える。ただし、炭化水素濃度が高くなると空燃比（Ａ／Ｆ）inは小さくなるので図４においては空燃比（Ａ／Ｆ）inがリッチ側となるほど炭化水素濃度が高くなっている。
【００３２】
図５は、排気浄化触媒１３に流入する炭化水素の濃度を周期的に変化させることによって図４に示されるように排気浄化触媒１３への流入排気の空燃比（Ａ／Ｆ）inを変化させたときの排気浄化触媒１３によるＮＯＸ浄化率を排気浄化触媒１３の各触媒温度ＴＣに対して示している。本発明者は長い期間に亘ってＮＯＸ浄化に関する研究を重ねており、その研究課程において、排気浄化触媒１３に流入する炭化水素の濃度を予め定められた範囲内の振幅および予め定められた範囲内の周期でもって振動させると、図５に示されるように４００℃以上の高温領域においても極めて高いＮＯＸ浄化率が得られることが判明したのである。
【００３３】
更に、このときには、窒素および炭化水素を含む多量の還元性中間体が排気浄化触媒１３内において生成され、この還元性中間体が高ＮＯＸ浄化率を得る上で中心的役割を果していることが判明したのである。
【００３４】
次に、このことについて図６Ａおよび図６Ｂを参照しつつ説明する。なお、図６Ａおよび図６Ｂは、下流側触媒の触媒担体の表面部分を図解的に示している。図６Ａおよび図６Ｂには、排気浄化触媒１３に流入する炭化水素の濃度が予め定められた範囲内の振幅および予め定められた範囲内の周期でもって振動させたときに生ずると推測される反応が示されている。
【００３５】
図６Ａは、排気浄化触媒に流入する炭化水素の濃度が低いときを示している。図４からわかるように、排気浄化触媒１３に流入する排気の空燃比は一瞬を除いてリーンに維持されているので下流側触媒６２に流入する排気は通常酸素過剰の状態にある。従って排気中に含まれるＮＯは触媒粒子５５上において酸化されてＮＯ２となり、次いでこのＮＯ２は更に酸化されてＮＯ３となる。また、ＮＯ２の一部はＮＯ２−となる。この場合、ＮＯ３の生成量の方がＮＯ２−の生成量よりもはるかに多い。従って触媒粒子５５上には多量のＮＯ３と少量のＮＯ２−が生成されることになる。これらＮＯ３およびＮＯ２−は活性が強く、以下これらＮＯ３およびＮＯ２−を活性ＮＯＸと称する。これらの活性ＮＯＸは、塩基性層５７の表面上に付着又は吸着することによって保持される。
【００３６】
次に、炭化水素供給弁１５から炭化水素が供給されると、図３に示したように、上流側触媒６１では排気に含まれる炭化水素が部分酸化される。炭化水素は、上流側触媒６１内において改質されてラジカル状になり、改質された炭化水素は下流側触媒６２に供給される。
【００３７】
図６Ｂは、炭化水素供給弁から炭化水素が供給されて排気浄化触媒に流入する炭化水素の濃度が高くなっているときを示している。下流側触媒６２に流入する炭化水素の濃度が高くなると、活性ＮＯＸ周りの炭化水素濃度が高くなる。活性ＮＯＸ周りの炭化水素濃度が高くなると、活性ＮＯＸは触媒粒子５５上においてラジカル状の炭化水素ＨＣと反応し、それにより還元性中間体が生成される。
【００３８】
なお、このとき最初に生成される還元性中間体はニトロ化合物Ｒ−ＮＯ２であると考えられる。このニトロ化合物Ｒ−ＮＯ２は生成されるとニトリル化合物Ｒ−ＣＮとなるがこのニトリル化合物Ｒ−ＣＮはその状態では瞬時しか存続し得ないのでただちにイソシアネート化合物Ｒ−ＮＣＯとなる。このイソシアネート化合物Ｒ−ＮＣＯは加水分解するとアミン化合物Ｒ−ＮＨ２となる。ただしこの場合、加水分解されるのはイソシアネート化合物Ｒ−ＮＣＯの一部であると考えられる。従って図６Ｂに示されるように生成される還元性中間体の大部分はイソシアネート化合物Ｒ−ＮＣＯおよびアミン化合物Ｒ−ＮＨ２であると考えられる。下流側触媒６２内にて生成された多量の還元性中間体は、塩基性層５７の表面上に付着又は吸着される。
【００３９】
次に、図６Ａに示すように、排気浄化触媒１３に流入する炭化水素の濃度が低くなると、下流側触媒６２では、活性ＮＯＸと生成された還元性中間体とが反応する。ところで、このように活性ＮＯＸが塩基性層５７の表面上に保持された後、或いは活性ＮＯＸが生成された後、活性ＮＯＸ周りの酸素濃度が高い状態が一定時間以上継続すると活性ＮＯＸは酸化され、硝酸イオンＮＯ３−の形で塩基性層５７内に吸収される。しかしながらこの一定時間が経過する前に還元性中間体が生成されると、図６Ａに示されるように活性ＮＯＸは、還元性中間体Ｒ−ＮＣＯやＲ−ＮＨ２と反応してＮ２、ＣＯ２、またはＨ２Ｏとなり、斯くしてＮＯＸが浄化されることになる。なお、この場合、生成された還元性中間体が活性ＮＯＸと反応するまで、十分な量の還元性中間体Ｒ−ＮＣＯやＲ-ＮＨ２を塩基性層５７の表面上に、即ち塩基性の排気流通表面部分５８上保持しておかなければならず、そのために塩基性の排気流通表面部分５８が設けられている。
【００４０】
このように、排気浄化触媒１３に流入する炭化水素の濃度を一時的に高くすることにより還元性中間体を生成し、生成された還元性中間体を活性ＮＯＸと反応させることにより、ＮＯＸが浄化される。即ち、排気浄化触媒１３によりＮＯＸを浄化するには排気浄化触媒１３に流入する炭化水素の濃度を周期的に変化させる必要がある。
【００４１】
無論、この場合、還元性中間体を生成するのに十分高い濃度まで炭化水素の濃度を高める必要がある。即ち、排気浄化触媒１３に流入する炭化水素の濃度を予め定められた範囲内の振幅で振動させる必要がある。
【００４２】
一方、炭化水素の供給周期を長くすると炭化水素が供給された後、次に炭化水素が供給されるまでの間において酸素濃度が高くなる期間が長くなり、従って活性ＮＯＸは還元性中間体を生成することなく硝酸塩の形で塩基性層５７内に吸収されることになる。これを回避するためには排気浄化触媒１３に流入する炭化水素の濃度を予め定められた範囲内の周期でもって振動させることが必要となる。因みに図４に示される例では噴射間隔が３秒とされている。
【００４３】
上述したように炭化水素濃度の振動周期、即ち炭化水素ＨＣの供給周期を予め定められた範囲内の周期よりも長くすると下流側触媒６２において活性ＮＯＸは図７Ａに示されるように硝酸イオンＮＯ３−の形で塩基性層５７内に拡散し、硝酸塩となる。即ち、このときには排気中のＮＯＸは硝酸塩の形で塩基性層５７内に吸収されることになる。
【００４４】
一方、図７ＢはこのようにＮＯＸが硝酸塩の形で塩基性層５７内に吸収されているときに排気浄化触媒１３内に流入する排気の空燃比が理論空燃比又はリッチにされた場合を示している。この場合には排気中の酸素濃度が低下するために反応が逆方向（ＮＯ３−→ＮＯ２）に進み、斯くして塩基性層５７内に吸収されている硝酸塩は順次硝酸イオンＮＯ３−となって図７Ｂに示されるようにＮＯ２の形で塩基性層５７から放出される。次いで放出されたＮＯ２は排気中に含まれる炭化水素ＨＣおよびＣＯによって還元される。
【００４５】
図８は、塩基性層５７のＮＯＸ吸収能力が飽和する少し前に排気浄化触媒１３に流入する排気の空燃比（Ａ／Ｆ）inを一時的にリッチにするようにした場合を示している。なお、図８に示す例ではこのリッチ制御の時間間隔は１分以上である。この場合には排気の空燃比（Ａ／Ｆ）inがリーンのときに塩基性層５７内に吸収されたＮＯＸは、排気の空燃比（Ａ／Ｆ）inが一時的にリッチにされたときに塩基性層５７から一気に放出されて還元される。従ってこの場合には塩基性層５７はＮＯＸを一時的に吸収するための吸収剤の役目を果している。  なお、このとき塩基性層５７がＮＯＸを一時的に吸着する場合もあり、従って吸収および吸着の双方を含む用語として吸蔵という用語を用いると、このとき塩基性層５７はＮＯＸを一時的に吸蔵するためのＮＯＸ吸蔵剤の役目を果していることになる。即ち、この場合には、機関吸気通路、燃焼室２および上流側触媒６１上流の排気通路内に供給された空気および燃料（炭化水素）の比を排気の空燃比と称すると、下流側触媒６２は、排気の空燃比がリーンのときにはＮＯＸを吸蔵し、排気中の酸素濃度が低下すると吸蔵したＮＯＸを放出するＮＯＸ吸蔵触媒として機能している。
【００４６】
図９は、排気浄化触媒をこのようにＮＯＸ吸蔵触媒として機能させたときのＮＯＸ浄化率を示している。なお、図９の横軸は下流側触媒６２の触媒温度ＴＣを示している。排気浄化触媒１３をＮＯＸ吸蔵触媒として機能させた場合には図９に示されるように下流側触媒６２の温度ＴＣが３００℃から４００℃のときには極めて高いＮＯＸ浄化率が得られるが触媒温度ＴＣが４００℃以上の高温になるとＮＯＸ浄化率が低下する。
【００４７】
このように触媒温度ＴＣが４００℃以上になるとＮＯＸ浄化率が低下するのは、触媒温度ＴＣが４００℃以上になると硝酸塩が熱分解してＮＯ２の形で下流側触媒６２から放出されるからである。即ち、ＮＯＸを硝酸塩の形で吸蔵している限り、触媒温度ＴＣが高いときに高いＮＯＸ浄化率を得るのは困難である。しかしながら図４から図６Ａおよび図６Ｂに示される新たなＮＯＸ浄化方法では図６Ａおよび図６Ｂからわかるように硝酸塩は生成されず或いは生成されても極く微量であり、斯くして図５に示されるように触媒温度ＴＣが高いときでも高いＮＯＸ浄化率が得られることになる。
【００４８】
このように、本実施の形態の排気浄化装置は、排気浄化触媒１３に流入する炭化水素の濃度を予め定められた範囲内の振幅および予め定められた範囲内の周期でもって振動させると排気中に含まれるＮＯＸを還元する性質を有する。また、本実施の形態の排気浄化装置は、排気浄化触媒１３に流入する炭化水素濃度の振動周期を予め定められた範囲よりも長くすると排気中に含まれるＮＯＸの吸蔵量が増大する性質を有している。
【００４９】
図４から図６Ａおよび図６Ｂに示されるＮＯＸ浄化方法は、貴金属の触媒粒子を担持しかつＮＯＸを吸収しうる塩基性層を形成した触媒を用いた場合において、ほとんど硝酸塩を形成することなくＮＯＸを浄化するようにした新たなＮＯＸ浄化方法であると言うことができる。実際、この新たなＮＯＸ浄化方法を用いた場合には排気浄化触媒１３をＮＯＸ吸蔵触媒として機能させた場合に比べて、塩基性層５７から検出される硝酸塩は極く微量である。なお、この新たなＮＯＸ浄化方法を以下、第１のＮＯＸ浄化方法と称する。本実施の形態における内燃機関は、第１のＮＯＸ浄化方法にてＮＯＸを浄化するために、排気浄化触媒１３に流入する炭化水素の濃度を予め定められた範囲内の振幅および予め定められた範囲内の周期でもって振動させる制御を行なうように形成されている。
【００５０】
次に、図１０から図１５を参照しつつこの第１のＮＯＸ浄化方法についてもう少し詳細に説明する。
【００５１】
図１０は、図４に示される空燃比（Ａ／Ｆ）inの変化を拡大して示している。なお、前述したようにこの排気浄化触媒１３に流入する排気の空燃比（Ａ／Ｆ）inの変化は同時に排気浄化触媒１３に流入する炭化水素の濃度変化を示している。なお、図１０においてΔＨは排気浄化触媒１３に流入する炭化水素ＨＣの濃度変化の振幅を示しており、ΔＴは排気浄化触媒１３に流入する炭化水素濃度の振動周期を示している。
【００５２】
更に図１０において（Ａ／Ｆ）ｂは機関出力を発生するための燃焼ガスの空燃比を示すベース空燃比を表している。言い換えるとこのベース空燃比（Ａ／Ｆ）ｂは炭化水素の供給を停止したときに排気浄化触媒１３に流入する排気の空燃比を表している。一方、図１０において、Ｘは、活性ＮＯＸと改質された炭化水素から十分な量の還元性中間体を生成することができかつ活性ＮＯＸを硝酸塩の形で塩基性層５７内に吸蔵させることなく還元性中間体と反応させることのできる空燃比（Ａ／Ｆ）inの上限を表しており、活性ＮＯＸと改質された炭化水素から十分な量の還元性中間体を生成させかつ活性ＮＯＸを硝酸塩の形で塩基性層５７内に吸蔵させることなく還元性中間体と反応させるには空燃比（Ａ／Ｆ）inをこの空燃比の上限Ｘよりも低くすることが必要となる。
【００５３】
別の言い方をすると図１０のＸは、十分な量の還元性中間体を生成させかつ活性ＮＯＸを還元性中間体と反応させるのに必要な炭化水素の濃度の下限を表しており、十分な量の還元性中間体を生成させかつ活性ＮＯＸを還元性中間体と反応させるには炭化水素の濃度をこの下限Ｘよりも高くする必要がある。この場合、十分な量の還元性中間体が生成されかつ活性ＮＯＸが還元性中間体と反応するか否かは活性ＮＯＸ周りの酸素濃度と炭化水素濃度との比率、即ち空燃比（Ａ／Ｆ）inで決まり、十分な量の還元性中間体を生成させかつ活性ＮＯＸを還元性中間体と反応させるのに必要な上述の空燃比の上限Ｘを以下、要求最小空燃比と称する。
【００５４】
図１０に示される例では要求最小空燃比Ｘがリッチとなっており、従ってこの場合には十分な量の還元性中間体を生成させかつ活性ＮＯＸを還元性中間体と反応させるために空燃比（Ａ／Ｆ）inが瞬時的に要求最小空燃比Ｘ以下に、即ちリッチにされる。これに対し、図１１に示される例では要求最小空燃比Ｘがリーンとなっている。この場合には空燃比（Ａ／Ｆ）inをリーンに維持しつつ空燃比（Ａ／Ｆ）inを周期的に低下させることによって十分な量の還元性中間体が生成されかつ活性ＮＯＸが還元性中間体と反応せしめられる。
【００５５】
この場合、要求最小空燃比Ｘがリッチになるかリーンになるかは上流側触媒６１の酸化力による。この場合、上流側触媒６１は例えば貴金属の担持量を増大させれば酸化力が強まり、酸性を強めれば酸化力が強まる。従って上流側触媒６１の酸化力は貴金属の担持量や酸性の強さによって変化することになる。
【００５６】
さて、酸化力が強い上流側触媒６１を用いた場合に図１１に示されるように空燃比（Ａ／Ｆ）inをリーンに維持しつつ空燃比（Ａ／Ｆ）inを周期的に低下させると、空燃比（Ａ／Ｆ）inが低下せしめられたときに炭化水素が完全に酸化されてしまい、その結果還元性中間体を生成することができなくなる。これに対し、酸化力が強い上流側触媒６１を用いた場合に図１０に示されるように空燃比（Ａ／Ｆ）inを周期的にリッチにさせると空燃比（Ａ／Ｆ）inがリッチにされたときに炭化水素は完全に酸化されることなく部分酸化され、即ち炭化水素が改質され、斯くして十分な量の還元性中間体が生成されかつ活性ＮＯＸが還元性中間体と反応することになる。従って酸化力が強い上流側触媒６１を用いた場合には要求最小空燃比Ｘはリッチにする必要がある。
【００５７】
一方、酸化力が弱い上流側触媒６１を用いた場合には図１１に示されるように空燃比（Ａ／Ｆ）inをリーンに維持しつつ空燃比（Ａ／Ｆ）inを周期的に低下させると、炭化水素は完全に酸化されずに部分酸化され、即ち炭化水素が改質され、斯くして十分な量の還元性中間体が生成されかつ活性ＮＯＸが還元性中間体と反応せしめられる。これに対し、酸化力が弱い上流側触媒６１を用いた場合に図１０に示されるように空燃比（Ａ／Ｆ）inを周期的にリッチにさせると多量の炭化水素は酸化されることなく単に上流側触媒６１から排出されることになり、斯くして無駄に消費される炭化水素量が増大することになる。従って酸化力が弱い上流側触媒６１を用いた場合には要求最小空燃比Ｘはリーンにする必要がある。
【００５８】
即ち、要求最小空燃比Ｘは図１２に示されるように上流側触媒６１の酸化力が強くなるほど低下させる必要があることがわかる。このように要求最小空燃比Ｘは上流側触媒６１の酸化力によってリーンになったり、或いはリッチになったりするが、以下要求最小空燃比Ｘがリッチである場合を例にとって、排気浄化触媒１３に流入する炭化水素の濃度変化の振幅や排気浄化触媒１３に流入する炭化水素濃度の振動周期について説明する。
【００５９】
さて、ベース空燃比（Ａ／Ｆ）ｂが大きくなると、即ち炭化水素が供給される前の排気中の酸素濃度が高くなると空燃比（Ａ／Ｆ）inを要求最小空燃比Ｘ以下とするのに必要な炭化水素の供給量が増大する。従って、炭化水素が供給される前の排気中の酸素濃度が高いほど炭化水素濃度の振幅を大きくする必要がある。
【００６０】
図１３は同一のＮＯＸ浄化率が得られるときの、炭化水素が供給される前の排気中の酸素濃度と炭化水素濃度の振幅ΔＨとの関係を示している。図１３から同一のＮＯＸ浄化率を得るためには炭化水素が供給される前の排気中の酸素濃度が高いほど炭化水素濃度の振幅ΔＨを増大させる必要があることがわかる。即ち、同一のＮＯＸ浄化率を得るにはベース空燃比（Ａ／Ｆ）ｂが高くなるほど炭化水素濃度の振幅ΔＨを増大させることが必要となる。別の言い方をすると、ＮＯＸを良好に浄化するためにはベース空燃比（Ａ／Ｆ）ｂが低くなるほど炭化水素濃度の振幅ΔＨを減少させることができる。
【００６１】
ところでベース空燃比（Ａ／Ｆ）ｂが最も低くなるのは加速運転時であり、このとき炭化水素濃度の振幅ΔＨが２００ｐｐｍ程度あればＮＯＸを良好に浄化することができる。ベース空燃比（Ａ／Ｆ）ｂは通常、加速運転時よりも大きく、従って図１４に示されるように炭化水素濃度の振幅ΔＨが２００ｐｐｍ以上であれば良好なＮＯＸ浄化率を得ることができることになる。
【００６２】
一方、ベース空燃比（Ａ／Ｆ）ｂが最も高いときには炭化水素濃度の振幅ΔＨを１００００ｐｐｍ程度にすれば良好なＮＯＸ浄化率が得られることがわかっている。従って本発明では炭化水素濃度の振幅の予め定められた範囲が２００ｐｐｍから１００００ｐｐｍとされている。
【００６３】
また、炭化水素濃度の振動周期ΔＴが長くなると炭化水素が供給された後、次に炭化水素が供給される間、活性ＮＯＸ周りの酸素濃度が高くなる。この場合、炭化水素濃度の振動周期ΔＴが５秒程度よりも長くなると活性ＮＯＸが硝酸塩の形で塩基性層５７内に吸収され始め、従って図１５に示されるように炭化水素濃度の振動周期ΔＴが５秒程度よりも長くなるとＮＯＸ浄化率が低下することになる。従って炭化水素濃度の振動周期ΔＴは５秒以下とする必要がある。
【００６４】
一方、炭化水素濃度の振動周期ΔＴがほぼ０．３秒以下になると供給された炭化水素が排気浄化触媒１３上に堆積し始め、従って図１５に示されるように炭化水素濃度の振動周期ΔＴがほぼ０．３秒以下になるとＮＯＸ浄化率が低下する。そこで本発明では炭化水素濃度の振動周期が０．３秒から５秒の間とされている。
【００６５】
さて、本発明では炭化水素供給弁１５からの炭化水素供給量および噴射時期を変化させることによって炭化水素濃度の振幅ΔＨおよび振動周期ΔＴが機関の運転状態に応じた最適値となるように制御される。この場合、本発明による実施例ではこの最適な炭化水素濃度の振幅ΔＨを得ることのできる炭化水素供給量Ｗが燃料噴射弁３からの噴射量Ｑおよび機関回転数Ｎの関数として図１６に示すようなマップの形で予めＲＯＭ３２内に記憶されている。また、最適な炭化水素濃度の振動振幅ΔＴ、即ち炭化水素の噴射周期ΔＴも同様に噴射量Ｑおよび機関回転数Ｎの関数としてマップの形で予めＲＯＭ３２内に記憶されている。
【００６６】
次に図１７から図２０を参照しつつ排気浄化触媒１３をＮＯＸ吸蔵触媒として機能させた場合のＮＯＸ浄化方法について具体的に説明する。このように排気浄化触媒１３をＮＯＸ吸蔵触媒として機能させた場合のＮＯＸ浄化方法を以下、第２のＮＯＸ浄化方法と称する。
【００６７】
この第２のＮＯＸ浄化方法では図１７に示されるように塩基性層５７に吸蔵された吸蔵ＮＯＸ量ΣＮＯＸが予め定められた許容量ＭＡＸを越えたときに排気浄化触媒１３に流入する排気の空燃比（Ａ／Ｆ）inが一時的にリッチにされる。排気の空燃比（Ａ／Ｆ）inがリッチにされると排気の空燃比（Ａ／Ｆ）inがリーンのときに塩基性層５７内に吸蔵されたＮＯＸが塩基性層５７から一気に放出されて還元される。それによってＮＯＸが浄化される。
【００６８】
吸蔵ＮＯＸ量ΣＮＯＸは例えば機関から排出されるＮＯＸ量から算出される。本発明による実施例では機関から単位時間当りに排出される排出ＮＯＸ量ＮＯＸＡが噴射量Ｑおよび機関回転数Ｎの関数として図１８に示すようなマップの形で予めＲＯＭ３２内に記憶されており、この排出ＮＯＸ量ＮＯＸＡから吸蔵ＮＯＸ量ΣＮＯＸが算出される。この場合、前述したように排気の空燃比（Ａ／Ｆ）inがリッチにされる周期は通常１分以上である。
【００６９】
この第２のＮＯＸ浄化方法では図１９に示されるように燃焼室２内に燃料噴射弁３から燃焼用燃料Ｑを噴射する主噴射に加え、追加の燃料ＷＲを噴射する補助噴射を行うことによって排気浄化触媒１３に流入する排気の空燃比（Ａ／Ｆ）inがリッチにされる。なお、横軸はクランク角を示している。図１９に示す例において、燃料ＷＲは、燃焼するが機関出力となって現われない時期に、即ち圧縮上死点後ＡＴＤＣ９０°の少し手前で噴射される。この燃料量ＷＲは噴射量Ｑおよび機関回転数Ｎの関数として図２０に示すようなマップの形で予めＲＯＭ３２内に記憶されている。無論、この場合炭化水素供給弁１５からの炭化水素の供給量を増大させることによって排気の空燃比（Ａ／Ｆ）inをリッチにすることもできる。
【００７０】
ところで、本実施の形態における内燃機関の排気浄化装置は、上流側触媒６１の温度を調整する温度制御装置を備える。本実施の形態における温度制御装置は、電気加熱器を含む。本実施の形態においては、上流側触媒６１の基体が電気加熱器として機能する。すなわち本実施の形態における上流側触媒６１は、電気加熱触媒により構成されている。
【００７１】
図２１Ａに、本実施の形態における第１の排気浄化触媒の上流側触媒の概略正面図を示す。図２１Ｂに、本実施の形態における第１の排気浄化触媒の上流側触媒の概略断面図を示す。上流側触媒６１は、触媒粒子を担持するための基体６１ａと、基体６１ａの周りに配置され、基体６１ａを保持するように形成されている外筒６１ｃと含む。基体６１ａは、同心円状に配置されている円筒状の板状部材と、円筒状の板状部材同士の間に配置されている波形状の板状部材とを含む。それぞれの板状部材の間には、排気の流路が構成されている。それぞれの排気の流路の壁面には触媒担体および触媒粒子が配置されている。
【００７２】
基体６１ａのほぼ中央には、中心電極６１ｂが配置されている。本実施の形態における上流側触媒６１は、基体６１ａが抵抗体になるように構成されている。温度制御装置は、中心電極６１ｂと外筒６１ｃとの間に電圧が印加するように形成されている。中心電極６１ｂと外筒６１ｃとの間に電圧が印加されることにより、基体６１ａが発熱する。このように、本実施の形態における第１の排気浄化触媒においては、上流側触媒６１に通電することにより、上流側触媒６１自体が発熱して温度が上昇するように形成されている。上流側触媒６１の通電は、電子制御ユニット３０により制御されている。
【００７３】
電気加熱触媒の構成としては、この形態に限られず、電圧を印加することにより、発熱する任意の構造を採用することができる。例えば、本実施の形態における上流側触媒の基体は、それぞれの板状部材が金属により形成されているが、この形態に限られず、基体はコージェライト等の耐熱性を有する材質から形成されていても構わない。また、電極の構成は、基体に電圧を印加することができる任意の構成を採用することができる。
【００７４】
図２２に、本実施の形態における第１の運転制御のタイムチャートを示す。本実施の形態における排気浄化触媒１３は、上流側触媒６１において炭化水素の少なくとも一部を部分酸化して下流側触媒６２に供給するようにしている。このため、上流側触媒６１において、多くの炭化水素を部分酸化して改質することが好ましい。
【００７５】
上流側触媒６１において多くの炭化水素を部分酸化させるためには、炭化水素供給弁１５から炭化水素が供給されたときに、炭化水素が上流側触媒６１をすり抜けないことが好ましい。炭化水素供給弁１５から供給された多くの炭化水素を上流側触媒６１に保持するためには、上流側触媒６１の温度を低くして炭化水素を吸着させることができる。
【００７６】
一方で、炭化水素を部分酸化するためには、上流側触媒６１の温度が高いことが好ましい。炭化水素供給弁１５から供給される炭化水素は液体である。上流側触媒６１の温度が低いと、炭化水素が液体の状態で上流側触媒に物理的に吸着する。このような温度領域では、部分酸化の効率は低い。ところが、上流側触媒６１の温度が高くなると、炭化水素は気化して反応性に富むようになり、部分酸化の効率が高くなる。炭化水素は、気化しても触媒粒子の酸点等に化学的に吸着される。吸着された炭化水素は、触媒粒子の表面上で部分酸化される。すなわち、上流側触媒６１の温度が上昇しても部分酸化されるまで炭化水素を保持することができる。
【００７７】
本実施の形態における内燃機関では、燃料としての軽油が炭化水素供給弁１５から供給されている。炭化水素が気化して部分酸化の効率が高くなる温度としては、軽油が気化する略３００℃を例示することができる。本発明においては、上流側触媒に流入する炭化水素の部分酸化の効率が予め定められた値になる温度を高効率温度と称する。上流側触媒を高効率温度以上にすることにより、部分酸化の効率を予め定められた効率以上にすることができる。高効率温度は、燃料の種類等に依存する温度であり、たとえば炭化水素が気化される温度を設定することができる。本実施の形態における排気浄化装置では、高効率温度を３００℃に設定することができる。
【００７８】
本実施の形態における上流側触媒６１は、いわゆる酸化触媒であり、酸化能力が所定の値よりも高くなる活性化温度を有する。本実施の形態における上流側触媒６１の活性化温度は、約２００℃である。本実施の形態における上流側触媒６１の高効率温度は、活性化温度よりも高い温度になっている。すなわち、上流側触媒６１の温度が活性化温度よりも高い温度の領域のうち、高効率温度よりも高い温度になることにより、炭化水素を反応性に富む状態にすることができて、多くの炭化水素を部分酸化させることができる。
【００７９】
本実施の形態の温度制御装置は、１回の炭化水素の供給において、上流側触媒６１に炭化水素を供給している期間には上流側触媒６１の温度が高効率温度未満になるように制御する。温度制御装置は、炭化水素を供給した後に上流側触媒６１の温度が高効率温度以上になるように制御する。
【００８０】
本実施の形態においては、上流側触媒６１の温度を検出し、炭化水素を供給している期間に上流側触媒６１の温度が高効率温度未満である場合に、炭化水素を供給した後に上流側触媒６１の温度が高効率温度よりも高くなるように上流側触媒６１を昇温する。
【００８１】
図２２を参照して、本実施の形態における排気浄化装置は、上流側触媒の温度に判定温度が予め設定されている。本実施の形態における判定温度は、上記の部分酸化に関する高効率温度を設定している。判定温度としては、この形態に限られず、高効率温度に基づいて設定することができる。たとえば、高効率温度よりも予め定められた余裕を含めて、高効率温度よりも僅かに高い温度が設定されても構わない。
【００８２】
本実施の形態の排気浄化装置は、運転期間中に上流側触媒の温度が判定温度未満になる期間を有する。例えば、内燃機関の要求負荷が低い状態が継続する場合には、上流側触媒の温度が判定温度未満になる。車両を停止させて内燃機関がアイドリング状態である場合、又は、低速にて定速走行を行っている場合には上流側触媒の温度が判定温度未満になる。また、本実施の形態の排気浄化装置は、運転期間中に上流側触媒の温度が判定温度以上になる期間を有する。例えば、内燃機関の要求負荷が高い状態が継続される場合には、上流側触媒の温度が判定温度以上になる。
【００８３】
本実施の形態における内燃機関は、運転期間中に上流側触媒の温度が判定温度未満になる期間と判定温度以上になる期間とを有するが、この形態に限られず、通常の運転状態において常に上流側触媒が高効率温度未満になっていても構わない。例えば、燃料消費量の改善された高燃費の内燃機関においては、排気の温度が低くなる。このために、上流側触媒の温度が通常の運転状態において判定温度未満になる場合がある。このような内燃機関にも本発明を適用することができる。
【００８４】
図２２に示す例においては、炭化水素供給弁から炭化水素を供給する時刻には、上流側触媒６１の温度が判定温度未満になっている。このために、炭化水素供給弁１５から炭化水素を供給した後に上流側触媒６１に通電する。上流側触媒６１に通電ことにより、上流側触媒６１の温度を判定温度以上まで上昇させることができる。
【００８５】
時刻ｔ１においては、炭化水素供給弁１５から炭化水素を供給している。炭化水素を供給した後の時刻ｔ２において上流側触媒６１に通電を行っている。上流側触媒６１に通電することにより、上流側触媒６１の温度が判定温度以上の状態に移行する。この後に、上流側触媒６１における通電を停止することにより、上流側触媒６１の温度が低下する。上流側触媒６１の温度が判定温度未満になる。時刻ｔ１から時刻ｔ３までの期間が、１回の炭化水素の供給を行っている期間である。
【００８６】
時刻ｔ３以降においては、時刻ｔ１から時刻ｔ３までの制御を繰り返している。すなわち、時刻ｔ３において炭化水素を上流側触媒６１に供給し、時刻ｔ４において上流側触媒６１に通電している。時刻ｔ５において炭化水素を上流側触媒６１に供給し、時刻ｔ６において上流側触媒６１に通電している。
【００８７】
時刻ｔ１から時刻ｔ２までの期間においては、上流側触媒６１の温度が判定温度未満であるために、炭化水素供給弁１５から供給された炭化水素の吸着を促進することができる。すなわち、多くの炭化水素を上流側触媒６１に吸着させることができる。この後に、時刻ｔ２において、通電を行なうことにより上流側触媒６１の温度が上昇し、高効率温度以上になっている。このために、上流側触媒６１において吸着した炭化水素の部分酸化を促進することができる。
【００８８】
本実施の形態における内燃機関では、多くの炭化水素を上流側触媒に吸着させることができ、更に、吸着した炭化水素の部分酸化を促進することができる。このために、上流側触媒において多くの炭化水素を部分酸化して下流側触媒に供給することができる。この結果、ＮＯＸの浄化率の向上を図ることができる。
【００８９】
なお、本実施の形態の内燃機関では、運転状態に依存して炭化水素供給弁から炭化水素を供給するときに、上流側触媒の温度が判定温度以上の場合がある。たとえば、高負荷の運転が継続する場合には、排気の温度が上昇することにより、上流側触媒の温度が判定温度以上に維持される場合がある。本実施の形態における排気浄化装置は、通電を行う時期の前に上流側触媒の温度を検出し、上流側触媒の温度が判定温度以上の場合には、上流側触媒に通電しない制御を行なっている。
【００９０】
図２３に、本実施の形態における内燃機関の第１の運転制御のフローチャートを示す。ステップ１１１においては、上流側触媒６１の温度を検出する。図１を参照して上流側触媒６１の温度は、温度センサ２３により検出することができる。本実施の形態においては、炭化水素を供給する直前に上流側触媒６１の温度を検出している。上流側触媒の温度の検出は、この形態に限られず、炭化水素の供給を行っている期間中または炭化水素の供給が終了した直後に行っても構わない。
【００９１】
ステップ１１２においては、上流側触媒６１の温度が予め定められた判定温度未満であるか否かが判別される。上流側触媒６１の温度が予め定められた判定温度未満の場合には、ステップ１１３に移行する。
【００９２】
ステップ１１３においては、上流側触媒６１の通電量を設定する。たとえば、上流側触媒６１の基体に印加する電圧や通電時間を設定する。本実施の形態においては、予め定められた判定温度と上流側触媒の温度との差に基づいて、上流側触媒に対する通電量を設定する。本実施の形態においては、上流側触媒の温度と温度判定値との差が大きいほど、上流側触媒の温度上昇幅を大きくする制御を行う。すなわち、上流側触媒の通電量を大きくする制御を行う。上流側触媒の通電量は、例えば、判定温度と上流側触媒の温度との差を関数した値を予め電子制御ユニット３０に記憶させておくことができる。
【００９３】
次に、ステップ１１４においては、炭化水素の供給量を読み込む。炭化水素の供給量は、機関回転数等に基づいて、前述の制御により設定することができる（図１６等参照）。次に、ステップ１１５においては、読み込んだ供給量の炭化水素を炭化水素供給弁から供給する。上流側触媒６１の温度は、判定温度未満であるために効率よく炭化水素の吸着を行うことができる。
【００９４】
次に、ステップ１１６においては、炭化水素を供給した後にステップ１１３において設定した通電量にて上流側触媒６１に通電する。上流側触媒６１の温度を判定温度以上にすることができて、効率良く部分酸化を行うことができる。
【００９５】
ステップ１１２において上流側触媒６１の温度が判定温度以上の場合には、ステップ１１７に移行する。この場合に、上流側触媒６１は、炭化水素を十分に部分酸化できる温度になっている。このために、上流側触媒６１に対して通電を行わずに炭化水素の供給を行う。
【００９６】
ステップ１１７においては、ステップ１１４と同様に炭化水素の供給量を読み込む。次に、ステップ１１８において、読み込んだ供給量にて炭化水素の供給を行う。
【００９７】
このように、本実施の形態の第１の運転制御において、温度制御装置は、排気浄化触媒に炭化水素が供給されて上流側触媒６１に炭化水素が吸着した後に、上流側触媒の温度を上昇させる制御を行っている。
【００９８】
たとえば、排気浄化装置は、排気の温度を上昇させたり、上流側触媒に通電したりすることにより、上流側触媒の温度が常に高効率温度以上になるように制御することが可能である。しかし、この場合には、炭化水素の吸着量が少なくなり、上流側触媒をすり抜ける炭化水素の量が多くなる。または、炭化水素の吸着量を多くするために、常に上流側触媒の温度を高効率温度未満に維持することが可能である。しかし、この場合には、部分酸化を行うときの効率が低くなる。
【００９９】
本実施の形態の排気浄化装置のように、炭化水素を吸着するための低温の期間と炭化水素を部分酸化するための高温の期間とを設けることにより、多くの炭化水素を吸着できると共に、吸着した炭化水素を効率よく改質することができる。なお、本実施の形態においては、炭化水素の供給の期間が終了した後に、上流側触媒の通電を開始している。すなわち、上流側触媒に炭化水素が吸着した後に通電を開始しているが、この形態に限られず、炭化水素を供給している期間中に上流側触媒の通電を開始しても構わない。
【０１００】
本実施の形態における運転制御の上流側触媒に通電を行っている時間は、炭化水素供給弁から炭化水素を供給した後の短い時間である。このために、上流側触媒に連続的に通電して、上流側触媒の温度を常に高効率温度以上に維持する運転制御よりも消費電力量を小さくすることができる。
【０１０１】
本実施の形態の第１の運転制御における温度制御装置は、電気加熱触媒として機能する上流側触媒に通電することにより上流側触媒の温度を上昇させているが、この形態に限られず、温度制御装置は任意の装置および任意の制御により上流側触媒の温度を調整することができる。
【０１０２】
図２４に、本実施の形態における第２の運転制御のタイムチャートを示す。第２の運転制御における温度制御装置は、燃焼室において出力を生じる主噴射の後に、補助噴射を行なうことにより上流側触媒の温度を上昇させる。補助噴射を行うことにより軽質になった燃料を上流側触媒に供給する。上流側触媒において軽質になった燃料が酸化されることにより、上流側触媒の温度が上昇する。
【０１０３】
本実施の形態の第２の運転制御における補助噴射は、燃焼室において、燃料が燃焼しない時期に噴射されるポスト噴射を行っている。ポスト噴射は、たとえば膨張行程の後半の時期に行うことができる。補助噴射により噴射された燃料は、燃焼室が高温であるために、少なくとも一部の燃料が軽質になる。軽質な燃料は、酸化反応が生じやすいために、上流側触媒において容易に酸化され、上流側触媒の温度を上昇させることができる。なお、第２の運転制御を行うときには、上流側触媒にて軽質な燃料を酸化するために、上流側触媒に流入する排気の空燃比がリーンであることが好ましい。
【０１０４】
図２４に示す例では、時刻ｔ１において炭化水素供給弁から炭化水素を供給する。時刻ｔ２において、補助噴射としてのポスト噴射を開始している。ポスト噴射を行うことにより、上流側触媒の温度が判定温度未満の状態から判定温度以上の状態に移行している。ポスト噴射を停止することにより、上流側触媒の温度が元の温度まで下降する。上流側触媒の温度が判定温度未満になる。
【０１０５】
時刻ｔ３において、再び炭化水素の供給を行なっている。時刻ｔ３以降の運転制御は、時刻ｔ１から時刻ｔ３までの制御を繰り返して行っている。このように、燃焼室における補助噴射を行うことにより、上流側触媒の温度を判定温度以上に上昇させることができる。また、補助噴射を停止することにより、上流側触媒の温度を判定温度未満まで低下させることができる。
【０１０６】
本実施の形態の第２の運転制御は、電気加熱触媒を用いなくても上流側触媒の昇温を行なうことができる。すなわち、燃焼室における燃料の噴射制御の変更により、上流側触媒の温度を上昇させる制御および温度を低下させる制御を行うことができる。
【０１０７】
本実施の形態の第２の運転制御において、補助噴射は燃料が燃焼しない時期に燃料を噴射しているが、この形態に限られず、燃料の一部が燃焼する時期に燃料を噴射しても構わない。たとえば、補助噴射として、燃料の一部が燃焼するアフター噴射を行うことにより、軽質な炭化水素を上流側触媒に供給しても構わない。
【０１０８】
図２５に、本実施の形態における内燃機関の第３の運転制御のタイムチャートを示す。第３の運転制御の温度制御装置は、炭化水素供給弁１５からＮＯＸを浄化するための炭化水素を供給した後に、更に少量の炭化水素を供給することにより、上流側触媒６１の昇温を行う。上流側触媒６１において酸化反応を生じさせて、炭化水素の酸化熱により上流側触媒６１の温度を上昇させることができる。
【０１０９】
図２５に示す例においては、時刻ｔ１において炭化水素供給弁１５から炭化水素を供給し、上流側触媒６１に炭化水素を吸着させる。本実施の形態においては、炭化水素を吸着させる時には、上流側触媒６１に流入する排気の空燃比はリッチである。このために、上流側触媒６１における炭化水素の酸化は抑制される。
【０１１０】
時刻ｔ２において、時刻ｔ１にて供給を開始した炭化水素の供給における供給量よりも少ない供給量にて炭化水素の供給を開始する。時刻ｔ２から炭化水素を供給する場合には、上流側触媒６１に流入する排気の空燃比がリーンになるように制御を行う。このために、時刻ｔ２から炭化水素を供給することにより、上流側触媒６１にて酸化反応が生じて温度を上昇させることができる。時刻ｔ３以降は、時刻ｔ１から時刻ｔ３までの制御を繰り返している。
【０１１１】
本実施の形態の第３の運転制御においては、炭化水素供給弁１５から上流側触媒６１の温度を上昇させるために炭化水素を供給している。このために、燃焼室においてポスト噴射等の補助噴射を行わずに上流側触媒に昇温用の炭化水素を供給することができる。例えば、ポスト噴射等を頻繁に行なうことにより、気筒内の壁面に付着する燃料が多くなる。気筒内の壁面に付着した燃料は、気筒内の壁面とピストンとの接触面からクランクケースの内部に流入し、潤滑油に混入する。潤滑油に混入する燃料が多くなると、潤滑油が劣化したり変質したりする場合がある。
【０１１２】
本実施の形態の第３の運転制御においては、燃焼室において上流側触媒の昇温用の補助噴射を回避することができて、機関本体の潤滑油の変質や劣化を抑制することができる。また、電気加熱触媒を用いなくても上流側触媒の昇温を行なうことができる。
【０１１３】
ところで、上流側触媒の温度を調整する温度制御装置としては、上流側触媒の温度を上昇させる装置に限られず、上流側触媒の温度を低下させる装置であっても構わない。たとえば、運転期間中に上流側触媒が高効率温度よりも高い温度に維持される内燃機関においては、上流側触媒の温度を低下させることができる。特に、炭化水素供給弁から炭化水素を供給する前に上流側触媒を高効率温度未満に低下させることができる。上流側触媒の温度を低下させることにより、上流側触媒における炭化水素の吸着量を増加させることができる。炭化水素供給弁により炭化水素を供給した後には、温度を低下させる制御を停止することにより、上流側触媒の温度を上昇させることができる。上流側触媒を高効率温度以上にすることにより、炭化水素の部分酸化を効率よく行うことができる。
【０１１４】
上流側触媒の温度を低下させる装置としては、例えば、上流側触媒に流入する排気の空燃比がリッチになるように炭化水素供給弁から炭化水素を供給し、更に、炭化水素の供給量を所望の量以上にすることができる。または、上流側触媒の温度を低下させる冷却器が配置されていても構わない。例えば、上流側触媒の周りに上流側触媒の温度を低下させる冷却器が配置されていても構わない。または、上流側触媒よりも上流の機関排気通路に排気を冷却する冷却器が配置されていても構わない。
【０１１５】
本実施の形態の排気浄化触媒においては、上流側に酸化触媒が配置され、下流側に貴金属の触媒粒子が担持されているとともに、塩基性の排気流通表面部分を有する触媒が配置されているが、この形態に限られず、上流側触媒は酸化能力を有する任意の触媒を採用することができる。更に、上流側触媒は、炭化水素を部分酸化して改質できる任意の触媒を採用することができる。たとえば、上流側触媒は、触媒粒子の構成が三元触媒の触媒粒子の構成と同様であっても構わない。または、上流側触媒は、本実施の形態における下流側触媒と同様の構成を有していても構わない。すなわち、上流側触媒は、貴金属の触媒粒子と触媒粒子の周りに形成された塩基性の排気流通表面部分とを有していても構わない。
【０１１６】
上流側触媒が本実施の形態における下流側触媒と同様の構成を有する場合には、第１のＮＯＸ浄化方法において、上流側触媒において還元性中間体を生成することができる。上流側触媒に流入する排気の炭化水素の濃度が低いときには、ＮＯＸを活性化して活性ＮＯＸを生成する。生成された活性ＮＯＸは、塩基性層の表面上に保持される。排気の炭化水素の濃度が高くなると炭化水素を部分酸化して炭化水素のラジカルを生成する。活性ＮＯＸと部分酸化された炭化水素とが反応して還元性中間体が生成される。上流側触媒においても生成された還元性中間体によりＮＯＸを還元して浄化することができる。または、上流側触媒において生成された還元性中間体を下流側触媒に供給することができる。
【０１１７】
上流側触媒が本実施の形態における下流側触媒と同様の構成を有する場合においても、本実施の形態における第２のＮＯＸ浄化方法を行なうことができる。すなわち、炭化水素供給弁からの炭化水素の供給間隔を長くすることにより、上流側触媒はＮＯＸ吸蔵触媒として機能する。上流側触媒および下流側触媒をＮＯＸ吸蔵触媒として機能させることにより、第２のＮＯＸ浄化方法を行う場合に容量を大きくすることができる。
【０１１８】
上流側触媒および下流側触媒の両方が、貴金属の触媒粒子および塩基性の排気流通表面部分を有する触媒である場合には、下流側触媒に電気加熱触媒が採用されていても構わない。または、上流側触媒および下流側触媒の両方が電気加熱触媒であっても構わない。すなわち、上流側触媒および下流側触媒のうち少なくとも一方の触媒を電気加熱触媒により構成することができる。
【０１１９】
図２６に、本実施の形態における第２の排気浄化触媒の概略断面図を示す。上記の形態における排気浄化触媒は、上流側触媒と下流側触媒とに分割されている。第２の排気浄化触媒においては、上流側触媒と下流側触媒とが一体化された触媒が採用されている。排気浄化触媒１３は、第１の排気浄化触媒の下流側触媒と同様に、触媒作用を有する金属と、触媒粒子の周りに形成されている塩基性の排気流通表面部分とを有する。本実施の形態においては、触媒担体の表面に、貴金属の触媒粒子と塩基性層とが配置されている。
【０１２０】
第２の排気浄化触媒１３は、電気加熱触媒により構成されている。第２の排気浄化触媒１３の上流側には、炭化水素供給弁１５が配置されている。第２の排気浄化触媒１３の下流側には、第２の排気浄化触媒１３の温度を検出する温度センサ２３が配置されている。
【０１２１】
第２の排気浄化触媒１３においても、本実施の形態における第１のＮＯＸ浄化方法にてＮＯＸを浄化することができる。すなわち、第２の排気浄化触媒１３に流入する炭化水素の濃度を予め定められた範囲内の振幅および予め定められた範囲内の周期でもって振動させることにより、ＮＯＸを浄化することができる。この場合には、第２の排気浄化触媒１３は、第１の排気浄化触媒における上流側触媒として機能し、更に、下流側触媒として機能する。すなわち、第２の排気浄化触媒１３の内部において、炭化水素をラジカル状に改質する。更に、改質された炭化水素と活性ＮＯＸとにより、還元性中間体を生成する。生成した還元性中間体によりＮＯＸを浄化することができる。または、第２の排気浄化触媒１３においても、本実施の形態における第２のＮＯＸ浄化方法を行なうことができる。
【０１２２】
第２の排気浄化触媒１３においても、本実施の形態における運転制御を行うことができる。第２の排気浄化触媒１３は、炭化水素を部分酸化するときに予め定められた効率にて部分酸化できる高効率温度を有する。温度制御装置は、炭化水素を供給している期間には高効率温度未満になり、炭化水素を供給した後に高効率温度以上になるように、第２の排気浄化触媒の温度を調整することができる。この制御を行うことにより、炭化水素を効率よく部分酸化することができて、ＮＯＸの浄化率の向上を図ることができる。
【０１２３】
ところで、図２６に示す第２の排気浄化触媒においては、排気浄化触媒１３よりも上流側の排気管１２の内部において排気の速度分布が生じている。すなわち、排気管１２のほぼ中央においては排気の速度が大きく、排気管１２の内壁に近づくにつれて排気の速度が遅くなっている。さらに、機関排気通路の内径が徐々に大きくなっている断面拡大部７０では、矢印９１に示すように排気に渦の流れが生じる場合がある。炭化水素供給弁１５から供給された炭化水素は、排気管１２の内部における排気の速度分布および断面拡大部７０における排気の流れの乱れにより拡散される。このために、排気浄化触媒１３の基体に流入する排気の炭化水素の濃度が低くなったり、炭化水素の濃度が不均一になったりする場合がある。
【０１２４】
図２７に、本実施の形態における第３の排気浄化触媒の概略断面図を示す。第３の排気浄化触媒１３は、上流側触媒６１および下流側触媒６２を含む。上流側触媒６１の基体および下流側触媒６２の基体は、円柱状に形成されている。上流側触媒６１の基体の径は、下流側触媒６２の基体の径よりも小さく形成されている。
【０１２５】
第３の排気浄化触媒１３においては、上流側触媒６１に径の小さな基体が採用されている。排気管１２の流路断面積は小さいために、上流側触媒６１に流入する排気に含まれる炭化水素の拡散を抑制することができる。また、上流側触媒６１の内部の流路は内径が小さいために、内部の流路を通るときに排気の速度が均一化される。上流側触媒６１から排気が流出するときには、排気の速度が均一化されている。このために、断面拡大部７０において渦等が生じることを抑制し、炭化水素の濃度が均一な排気を下流側触媒６２に供給することができる。または、炭化水素が拡散して、下流側触媒６２に流入する炭化水素の濃度が低くなることを抑制することができる。
【０１２６】
ところが、第３の排気浄化触媒１３においては、上流側触媒６１の上流側の端面の面積が小さいために排気に含まれる炭化水素の密度が高くなる。たとえば、上流側触媒６１に流入する排気の空燃比がリッチになる場合がある。このために、排気浄化触媒１３の内部において炭化水素の酸化を生じさせて温度を上昇させることが難しくなる。このような上流側触媒６１が小型の排気浄化触媒１３においては、上流側触媒６１を電気加熱触媒により構成することができる。第３の排気浄化触媒においても、炭化水素を供給した後に、上流側触媒６１を昇温することにより、部分酸化された炭化水素を効率よく下流側触媒６２に供給することができる。
【０１２７】
また、上記の形態における上流側触媒の基体および下流側触媒の基体は、円柱状に形成されているが、この形態に限られず、任意の形状を採用することができる。
【０１２８】
図２８Ａに、本実施の形態における第４の排気浄化触媒の概略断面図を示す。図２８Ｂに、本実施の形態における第４の排気浄化触媒の上流側触媒の概略斜視図を示す。第４の排気浄化触媒１３は、上流側触媒６１と下流側触媒６２とを含む。上流側触媒６１は、排気の流れ方向に沿って、基体の径が徐々に大きくなる形状を有する。上流側触媒６１の基体は、円錐形の尖端を切り欠いた形状を有する。上流側触媒６１の内部に形成されている複数の流路７１は、排気の流れ方向に沿って徐々に流路断面積が大きくなっている。下流側触媒６２は円柱状に形成されている。
【０１２９】
第４の排気浄化触媒は、上流側触媒６１の径が排気の流れ方向に沿って徐々に大きくなっているために、断面拡大部における排気の流れの乱れを抑制することができる。基体の内部の流路７１の流路断面積は小さいために、複数の流路７１の内部では渦等の流れの乱れが生じにくい。上流側触媒６１から排気が流出するときには、排気の速度が均一化されている。このために、下流側触媒６２に流入する炭化水素の濃度をほぼ均一にすることができる。または、排気に含まれる炭化水素が拡散して、下流側触媒６２に流入する炭化水素の濃度が低くなることを抑制することができる。
【０１３０】
第４の排気浄化触媒の上流側触媒６１においても、排気が流入する基体の端面の面積が小さいために、炭化水素の密度が大きくなる。しかしながら、上流側触媒６１を電気加熱触媒により構成することができる。第４の排気浄化触媒においても、炭化水素を供給した後に、上流側触媒６１を昇温することにより、部分酸化された炭化水素を効率よく下流側触媒６２に供給することができる。
【０１３１】
上記のそれぞれの制御は、機能および作用を変更しない範囲にて適宜ステップの順序を変更することができる。上記の実施の形態は、適宜組み合わせることができる。上述のそれぞれの図において、同一または相等する部分には同一の符号を付している。なお、上記の実施の形態は例示であり発明を限定するものではない。また、実施の形態においては、請求の範囲に示される変更が含まれている。
【符号の説明】
【０１３２】
２    燃焼室
３    燃料噴射弁
１３    排気浄化触媒
１５    炭化水素供給弁
３０    電子制御ユニット
５０    触媒担体
５１    触媒粒子
５４    触媒担体
５５，５６    触媒粒子
５７    塩基性層
５８    排気流通表面部分
６１    上流側触媒
６２    下流側触媒
７０    断面拡大部
【図１】
2013080330.tif 000003
【図２Ａ】
2013080330.tif 000004
【図２Ｂ】
2013080330.tif 000005
【図３】
2013080330.tif 000006
【図４】
2013080330.tif 000007
【図５】
2013080330.tif 000008
【図６Ａ】
2013080330.tif 000009
【図６Ｂ】
2013080330.tif 000010
【図７Ａ】
2013080330.tif 000011
【図７Ｂ】
2013080330.tif 000012
【図８】
2013080330.tif 000013
【図９】
2013080330.tif 000014
【図１０】
2013080330.tif 000015
【図１１】
2013080330.tif 000016
【図１２】
2013080330.tif 000017
【図１３】
2013080330.tif 000018
【図１４】
2013080330.tif 000019
【図１５】
2013080330.tif 000020
【図１６】
2013080330.tif 000021
【図１７】
2013080330.tif 000022
【図１８】
2013080330.tif 000023
【図１９】
2013080330.tif 000024
【図２０】
2013080330.tif 000025
【図２１Ａ】
2013080330.tif 000026
【図２１Ｂ】
2013080330.tif 000027
【図２２】
2013080330.tif 000028
【図２３】
2013080330.tif 000029
【図２４】
2013080330.tif 000030
【図２５】
2013080330.tif 000031
【図２６】
2013080330.tif 000032
【図２７】
2013080330.tif 000033
【図２８Ａ】
2013080330.tif 000034
【図２８Ｂ】
2013080330.tif 000035
【手続補正書】
【提出日】平成24年4月5日(2012.4.5)
【手続補正１】
【補正対象書類名】明細書
【補正対象項目名】全文
【補正方法】変更
【補正の内容】
【発明の詳細な説明】
【技術分野】
【０００１】
本発明は、内燃機関の排気浄化装置に関する。
【背景技術】
【０００２】
ディーゼルエンジンやガソリンエンジンなどの内燃機関の排気には、例えば、一酸化炭素（ＣＯ）、未燃燃料（ＨＣ）、窒素酸化物（ＮＯＸ）または粒子状物質（ＰＭ：Particulate Matter）などの成分が含まれている。内燃機関には、これらの成分を浄化するために排気浄化装置が取り付けられる。
【０００３】
特開２００７−１５４７９４号公報においては、複数の分岐通路と、各分岐通路に配置された排気浄化触媒と、排気浄化触媒の上流側に配置された燃料添加弁とを備える内燃機関の排気浄化システムが開示されている。この排気浄化システムは、複数の分岐通路のうち一部の分岐通路の排気浄化触媒の上流側にヒータ付き触媒を備え、排気浄化触媒を暖機する際には、ヒータ付き触媒を備えた分岐通路の排気流量を減少させる。そして、他の分岐通路に排気を集中して通過させ、他の分岐通路における排気浄化触媒を暖機することが開示されている。排気流量を減少させた分岐通路については、ヒータ付き触媒に通電して排気浄化触媒の暖機を図る。また、この公報には、ヒータ付き触媒が活性化温度に到達すると、通電を停止して燃料添加弁から燃料を噴射することにより、ヒータ付き触媒において生じる燃料の酸化反応により排気を昇温することが開示されている。
【先行技術文献】
【特許文献】
【０００４】
【特許文献１】特開２００７−１５４７９４号公報
【発明の概要】
【発明が解決しようとする課題】
【０００５】
排気に含まれる窒素酸化物を除去する方法として、機関排気通路にＮＯＸ吸蔵触媒を配置することが知られている。ＮＯＸ吸蔵触媒は、流入する排気の空燃比がリーンの時には排気に含まれるＮＯＸを吸蔵し、流入する排気の空燃比がリッチになると吸蔵したＮＯＸを放出すると共にＮＯＸを還元する機能を有する。
【０００６】
上記の公報には昇温を行なうための排気浄化触媒として、ＮＯＸ吸蔵触媒を配置することが開示されている。上記の公報に開示された排気浄化システムは、ＮＯＸ吸蔵触媒の上流側に配置されているヒータ付触媒を高温にすることにより、ＮＯＸ吸蔵触媒に流入する排気の温度を上昇させて、ＮＯＸ吸蔵触媒を短時間の間に活性化することが開示されている。始動時等に短時間にＮＯＸ吸蔵触媒を活性化温度以上に昇温することができて、ＮＯＸを浄化することができる。ところで、ＮＯＸ吸蔵触媒は、活性化温度以上に昇温することによりＮＯＸの浄化率を大きくすることができるが、温度が高くなりすぎるとＮＯＸの浄化率が低下する場合があった。
【０００７】
本発明は、窒素酸化物の浄化能力に優れた内燃機関の排気浄化装置を提供することを目的とする。
【課題を解決するための手段】
【０００８】
本発明の内燃機関の排気浄化装置は、機関排気通路内に排気に含まれるＮＯＸと炭化水素とを反応させるための排気浄化触媒を備える。排気浄化触媒は、上流側触媒と下流側触媒とを含む。上流側触媒は酸化能力を有し、下流側触媒は、排気流通表面上に貴金属の触媒粒子が担持されていると共に触媒粒子の周りには塩基性の排気流通表面部分が形成されている。排気浄化触媒は、排気浄化触媒に流入する炭化水素の濃度を予め定められた範囲内の振幅および予め定められた範囲内の周期でもって振動させると排気中に含まれるＮＯＸを還元する性質を有すると共に、炭化水素濃度の振動周期を予め定められた範囲よりも長くすると排気中に含まれるＮＯＸの吸蔵量が増大する性質を有している。機関運転時に排気浄化触媒に流入する炭化水素の濃度を予め定められた範囲内の振幅および予め定められた範囲内の周期でもって振動させ、排気中に含まれるＮＯＸを排気浄化触媒において還元する制御を行なうように形成されている。排気浄化装置は、上流側触媒の温度を調整する温度制御装置を更に備える。排気浄化触媒は、炭化水素の濃度を予め定められた範囲内の振幅および予め定められた範囲内の周期でもって振動させることにより、上流側触媒において少なくとも一部の炭化水素を部分酸化する。上流側触媒は、炭化水素を部分酸化するときに予め定められた効率にて部分酸化できる高効率温度を有する。温度制御装置は、炭化水素を供給している期間には上流側触媒が高効率温度未満になり、炭化水素を供給した後に上流側触媒が高効率温度以上になるように、上流側触媒の温度を調整する。
【０００９】
上記発明においては、温度制御装置は、排気浄化触媒に炭化水素が供給されて上流側触媒に炭化水素が吸着した後に上流側触媒の温度を上昇させることができる。
【００１０】
上記発明においては、上流側触媒の高効率温度に基づいた上流側触媒の判定温度が予め定められており、温度制御装置は、上流側触媒の温度を検出し、上流側触媒の温度が判定温度未満の場合に、判定温度と上流側触媒の温度との差に基づいて上流側触媒の温度を上昇させることができる。
【００１１】
上記発明においては、上流側触媒は、電気加熱触媒により構成されており、温度制御装置は、上流側触媒に通電することにより上流側触媒の温度を上昇させることができる。
【００１２】
上記発明においては、温度制御装置は、燃焼室において出力を生じる主噴射の後に補助噴射を行なうことにより、軽質の燃料を上流側触媒に供給し、上流側触媒において燃料が酸化することにより上流側触媒の温度を上昇させることができる。
【００１３】
上記発明においては、排気浄化触媒は、上流側触媒と下流側触媒とが一体化された触媒により構成することができる。
【発明の効果】
【００１４】
本発明によれば、窒素酸化物の浄化能力に優れた内燃機関の排気浄化装置を提供することができる。
【図面の簡単な説明】
【００１５】
【図１】実施の形態における圧縮着火式の内燃機関の全体図である。
【図２Ａ】上流側触媒における触媒担体の表面部分の拡大概略図である。
【図２Ｂ】下流側触媒における触媒担体の表面部分の拡大概略図である。
【図３】上流側触媒における炭化水素の酸化反応を説明する図である。
【図４】第１のＮＯＸ浄化方法において、排気浄化触媒に流入する排気の空燃比の変化を示す図である。
【図５】第１のＮＯＸ浄化方法のＮＯＸ浄化率を示す図である。
【図６Ａ】第１のＮＯＸ浄化方法の下流側触媒における活性ＮＯＸの生成および還元性中間体の反応を説明する拡大概略図である。
【図６Ｂ】第１のＮＯＸ浄化方法の下流側触媒における還元性中間体の生成を説明する拡大概略図である。
【図７Ａ】第２のＮＯＸ浄化方法の下流側触媒におけるＮＯＸの吸蔵を説明する拡大概略図である。
【図７Ｂ】第２のＮＯＸ浄化方法の下流側触媒におけるＮＯＸの放出および還元を説明する拡大概略図である。
【図８】第２のＮＯＸ浄化方法において、下流側触媒に流入する排気の空燃比の変化を示す図である。
【図９】第２のＮＯＸ浄化方法のＮＯＸ浄化率を示す図である。
【図１０】第１のＮＯＸ浄化方法において、排気浄化触媒に流入する排気の空燃比の変化を示すタイムチャートである。
【図１１】第１のＮＯＸ浄化方法において、排気浄化触媒に流入する排気の空燃比の変化を示す他のタイムチャートである。
【図１２】第１のＮＯＸ浄化方法において、排気浄化触媒の酸化力と要求最小空燃比Ｘとの関係を示す図である。
【図１３】第１のＮＯＸ浄化方法において、同一のＮＯＸ浄化率の得られる、排気中の酸素濃度と炭化水素濃度の振幅ΔＨとの関係を示す図である。
【図１４】第１のＮＯＸ浄化方法において、炭化水素濃度の振幅ΔＨとＮＯＸ浄化率との関係を示す図である。
【図１５】第１のＮＯＸ浄化方法において、炭化水素濃度の振動周期ΔＴとＮＯＸ浄化率との関係を示す図である。
【図１６】第１のＮＯＸ浄化方法において、炭化水素供給量Ｗのマップを示す図である。
【図１７】第２のＮＯＸ浄化方法において、排気浄化触媒に吸蔵されるＮＯＸ量と排気浄化触媒に流入する排気の空燃比の変化を示す図である。
【図１８】機関本体から排出されるＮＯＸ量ＮＯＸＡのマップを示す図である。
【図１９】第２のＮＯＸ浄化方法において、燃焼室における燃料噴射時期を示す図である。
【図２０】第２のＮＯＸ浄化方法において、炭化水素供給量ＷＲのマップを示す図である。
【図２１Ａ】実施の形態における第１の排気浄化触媒の上流側触媒の概略正面図である。
【図２１Ｂ】実施の形態における第１の排気浄化触媒の上流側触媒の概略断面図である。
【図２２】実施の形態における第１の運転制御のタイムチャートである。
【図２３】実施の形態における第１の運転制御のフローチャートである。
【図２４】実施の形態における第２の運転制御のタイムチャートである。
【図２５】実施の形態における第３の運転制御のタイムチャートである。
【図２６】実施の形態における第２の排気浄化触媒の概略断面図である。
【図２７】実施の形態における第３の排気浄化触媒の概略断面図である。
【図２８Ａ】実施の形態における第４の排気浄化触媒の概略断面図である。
【図２８Ｂ】実施の形態における第４の排気浄化触媒の上流側触媒の概略斜視図である。
【発明を実施するための形態】
【００１６】
図１から図２８Ｂを参照して、実施の形態における内燃機関の排気浄化装置について説明する。本実施の形態においては、車両に取り付けられている圧縮着火式の内燃機関を例に取り上げて説明する。
【００１７】
図１は、本実施の形態における内燃機関の全体図である。内燃機関は、機関本体１を備える。また、内燃機関は、排気を浄化する排気浄化装置を備える。機関本体１は、各気筒としての燃焼室２と、それぞれの燃焼室２に燃料を噴射するための電子制御式の燃料噴射弁３と、吸気マニホールド４と、排気マニホールド５とを含む。
【００１８】
吸気マニホールド４は、吸気ダクト６を介して排気ターボチャージャ７のコンプレッサ７ａの出口に連結されている。コンプレッサ７ａの入口は、吸入空気量検出器８を介してエアクリーナ９に連結されている。吸気ダクト６内にはステップモータにより駆動されるスロットル弁１０が配置されている。更に、吸気ダクト６の途中には、吸気ダクト６内を流れる吸入空気を冷却するための冷却装置１１が配置されている。図１に示される実施例では、機関冷却水が冷却装置１１に導かれている。機関冷却水によって吸入空気が冷却される。
【００１９】
一方、排気マニホールド５は、排気ターボチャージャ７の排気タービン７ｂの入口に連結されている。本実施の形態における排気浄化装置は、排気に含まれるＮＯＸを浄化する排気浄化触媒１３を備える。排気浄化触媒１３は、排気に含まれるＮＯＸと炭化水素とを反応させる。本実施の形態における第１の排気浄化触媒１３は、上流側触媒６１と下流側触媒６２とを含む。上流側触媒６１と下流側触媒６２とは、直列に接続されている。排気浄化触媒１３は、排気管１２を介して排気タービン７ｂの出口に連結されている。
【００２０】
排気浄化触媒１３の上流には圧縮着火式内燃機関の燃料として用いられる軽油、又は、その他の燃料からなる炭化水素を供給するための炭化水素供給弁１５が配置されている。本実施の形態においては、炭化水素供給弁１５から供給される炭化水素として軽油が用いられている。なお、本発明は、燃焼時の空燃比がリーンに制御される火花点火式の内燃機関にも適用することができる。この場合、炭化水素供給弁からは火花点火式の内燃機関の燃料として用いられるガソリン又は、その他の燃料からなる炭化水素が供給される。
【００２１】
排気マニホールド５と吸気マニホールド４との間には、排気再循環（ＥＧＲ）を行うためにＥＧＲ通路１６が配置されている。ＥＧＲ通路１６には電子制御式のＥＧＲ制御弁１７が配置されている。また、ＥＧＲ通路１６の途中にはＥＧＲ通路１６内を流れるＥＧＲガスを冷却するための冷却装置１８が配置されている。図１に示される実施例では機関冷却水が冷却装置１８内に導かれている。機関冷却水によってＥＧＲガスが冷却される。
【００２２】
それぞれの燃料噴射弁３は、燃料供給管１９を介してコモンレール２０に連結されている。コモンレール２０は、電子制御式の吐出量可変な燃料ポンプ２１を介して燃料タンク２２に連結されている。燃料タンク２２に貯蔵される燃料は、燃料ポンプ２１によってコモンレール２０内に供給される。コモンレール２０内に供給された燃料は、それぞれの燃料供給管１９を介して燃料噴射弁３に供給される。
【００２３】
本実施の形態における電子制御ユニット３０は、デジタルコンピュータからなる。本実施の形態における電子制御ユニット３０は、排気浄化装置の制御装置として機能する。電子制御ユニット３０は、双方性バス３１によって互いに接続されたＲＯＭ（リードオンリメモリ）３２、ＲＡＭ（ランダムアクセスメモリ）３３、ＣＰＵ（マイクロプロセッサ）３４、入力ポート３５および出力ポート３６を含む。ＲＯＭ３２は、読み込み専用の記憶装置である。ＲＯＭ３２には、制御を行なうための必要なマップ等の情報が予め記憶されている。ＣＰＵ３４は、任意の演算や判別を行なうことができる。ＲＡＭ３３は、読み書きが可能な記憶装置である。ＲＡＭ３３は、運転履歴などの情報を保存したり、演算結果を保存したりすることができる。
【００２４】
上流側触媒６１の下流には、上流側触媒６１の温度を検出するための温度センサ２３が取付けられている。温度センサ２３および吸入空気量検出器８の出力信号は、夫々対応するＡＤ変換器３７を介して入力ポート３５に入力される。
【００２５】
また、アクセルペダル４０にはアクセルペダル４０の踏込み量に比例した出力電圧を発生する負荷センサ４１が接続されている。負荷センサ４１の出力電圧は対応するＡＤ変換器３７を介して入力ポート３５に入力される。更に入力ポート３５にはクランクシャフトが例えば１５°回転する毎に出力パルスを発生するクランク角センサ４２が接続される。クランク角センサ４２の出力により、クランク角度や機関回転数を検出することができる。一方、出力ポート３６は、対応する駆動回路３８を介して燃料噴射弁３、スロットル弁１０の駆動用ステップモータ、炭化水素供給弁１５、ＥＧＲ制御弁１７および燃料ポンプ２１に接続されている。これらの燃料噴射弁３、スロットル弁１０、炭化水素供給弁１５およびＥＧＲ制御弁１７等は、電子制御ユニット３０により制御されている。
【００２６】
図２Ａは、排気浄化触媒の上流側触媒の基体上に担持された触媒担体の表面部分を図解的に示している。上流側触媒６１は、酸化能力を有する触媒から構成されている。本実施の形態における上流側触媒６１は、いわゆる酸化触媒である。上流側触媒６１において、アルミナ等から形成されている触媒担体５０上には触媒粒子５１が担持されている。触媒粒子５１は、貴金属や遷移金属等の酸化を促進する触媒作用を有する材質から形成することができる。本実施の形態における触媒粒子５１は白金Ｐｔにより形成されている。
【００２７】
図２Ｂは、下流側触媒の基体上に担持された触媒担体の表面部分を図解的に示している。下流側触媒６２では、例えばアルミナからなる触媒担体５４上には貴金属の触媒粒子５５，５６が担持されている。更に、触媒担体５４上にはカリウムＫ、ナトリウムＮａ、セシウムＣｓのようなアルカリ金属、バリウムＢａ、カルシウムＣａのようなアルカリ土類金属、ランタノイドのような希土類および銀Ａｇ、銅Ｃｕ、鉄Ｆｅ、イリジウムＩｒのようなＮＯＸに電子を供与しうる金属から選ばれた少くとも一つを含む塩基性層５７が形成されている。排気は触媒担体５４上に沿って流れるので触媒粒子５５，５６は下流側触媒６２の排気流通表面上に担持されていると言える。また、塩基性層５７の表面は塩基性を呈するので、塩基性層５７の表面は塩基性の排気流通表面部分５８と称される。
【００２８】
図２Ｂにおいて、貴金属の触媒粒子５５は白金Ｐｔからなり、貴金属の触媒粒子５６はロジウムＲｈからなる。即ち、触媒担体５４に担持されている触媒粒子５５，５６は白金ＰｔおよびロジウムＲｈから構成されている。なお、下流側触媒６２の触媒担体５４上には白金ＰｔおよびロジウムＲｈに加えて更にパラジウムＰｄを担持させることができるし、或いはロジウムＲｈに代えてパラジウムＰｄを担持させることができる。即ち、触媒担体５４に担持されている触媒粒子５５，５６は、白金Ｐｔと、ロジウムＲｈおよびパラジウムＰｄの少なくとも一方とにより構成される。
【００２９】
図３は、排気浄化触媒の上流側触媒の基体上に担持された触媒担体の表面部分を図解的に示している。炭化水素供給弁１５から排気中に炭化水素が噴射されると、炭化水素は上流側触媒６１において改質される。即ち、炭化水素供給弁１５から噴射された炭化水素ＨＣは上流側触媒６１の触媒作用によって炭素数の少ないラジカル状の炭化水素ＨＣとなる。本発明ではこのとき改質された炭化水素を用いて下流側触媒６２においてＮＯＸを浄化するようにしている。
【００３０】
また、燃料噴射弁３から燃焼室２内に燃料、即ち炭化水素を膨張行程の後半或いは排気行程中に噴射してもこの炭化水素は燃焼室２内又は上流側触媒６１において改質され、排気中に含まれるＮＯＸはこの改質された炭化水素によって浄化される。従って本発明では炭化水素供給弁１５から機関排気通路内に炭化水素を供給する代りに、膨張行程に後半或いは排気行程中に燃焼室２内に炭化水素を供給することもできる。このように本発明では炭化水素を燃焼室２内に供給することもできるが、以下炭化水素を炭化水素供給弁１５から機関排気通路内に噴射するようにした場合を例にとって本発明を説明する。
【００３１】
図４は、炭化水素供給弁からの炭化水素の供給タイミングと排気浄化触媒に流入する排気の空燃比（Ａ／Ｆ）inの変化とを示している。なお、この空燃比（Ａ／Ｆ）inの変化は排気浄化触媒１３に流入する排気中の炭化水素の濃度変化に依存しているので図４に示される空燃比（Ａ／Ｆ）inの変化は炭化水素の濃度変化を表しているとも言える。ただし、炭化水素濃度が高くなると空燃比（Ａ／Ｆ）inは小さくなるので図４においては空燃比（Ａ／Ｆ）inがリッチ側となるほど炭化水素濃度が高くなっている。
【００３２】
図５は、排気浄化触媒１３に流入する炭化水素の濃度を周期的に変化させることによって図４に示されるように排気浄化触媒１３への流入排気の空燃比（Ａ／Ｆ）inを変化させたときの排気浄化触媒１３によるＮＯＸ浄化率を排気浄化触媒１３の各触媒温度ＴＣに対して示している。本発明者は長い期間に亘ってＮＯＸ浄化に関する研究を重ねており、その研究課程において、排気浄化触媒１３に流入する炭化水素の濃度を予め定められた範囲内の振幅および予め定められた範囲内の周期でもって振動させると、図５に示されるように４００℃以上の高温領域においても極めて高いＮＯＸ浄化率が得られることが判明したのである。
【００３３】
更に、このときには、窒素および炭化水素を含む多量の還元性中間体が排気浄化触媒１３内において生成され、この還元性中間体が高ＮＯＸ浄化率を得る上で中心的役割を果していることが判明したのである。
【００３４】
次に、このことについて図６Ａおよび図６Ｂを参照しつつ説明する。なお、図６Ａおよび図６Ｂは、下流側触媒の触媒担体の表面部分を図解的に示している。図６Ａおよび図６Ｂには、排気浄化触媒１３に流入する炭化水素の濃度が予め定められた範囲内の振幅および予め定められた範囲内の周期でもって振動させたときに生ずると推測される反応が示されている。
【００３５】
図６Ａは、排気浄化触媒に流入する炭化水素の濃度が低いときを示している。図４からわかるように、排気浄化触媒１３に流入する排気の空燃比は一瞬を除いてリーンに維持されているので下流側触媒６２に流入する排気は通常酸素過剰の状態にある。従って排気中に含まれるＮＯは触媒粒子５５上において酸化されてＮＯ２となり、次いでこのＮＯ２は更に酸化されてＮＯ３となる。また、ＮＯ２の一部はＮＯ２−となる。この場合、ＮＯ３の生成量の方がＮＯ２−の生成量よりもはるかに多い。従って触媒粒子５５上には多量のＮＯ３と少量のＮＯ２−が生成されることになる。これらＮＯ３およびＮＯ２−は活性が強く、以下これらＮＯ３およびＮＯ２−を活性ＮＯＸと称する。これらの活性ＮＯＸは、塩基性層５７の表面上に付着又は吸着することによって保持される。
【００３６】
次に、炭化水素供給弁１５から炭化水素が供給されると、図３に示したように、上流側触媒６１では排気に含まれる炭化水素が部分酸化される。炭化水素は、上流側触媒６１内において改質されてラジカル状になり、改質された炭化水素は下流側触媒６２に供給される。
【００３７】
図６Ｂは、炭化水素供給弁から炭化水素が供給されて排気浄化触媒に流入する炭化水素の濃度が高くなっているときを示している。下流側触媒６２に流入する炭化水素の濃度が高くなると、活性ＮＯＸ周りの炭化水素濃度が高くなる。活性ＮＯＸ周りの炭化水素濃度が高くなると、活性ＮＯＸは触媒粒子５５上においてラジカル状の炭化水素ＨＣと反応し、それにより還元性中間体が生成される。
【００３８】
なお、このとき最初に生成される還元性中間体はニトロ化合物Ｒ−ＮＯ２であると考えられる。このニトロ化合物Ｒ−ＮＯ２は生成されるとニトリル化合物Ｒ−ＣＮとなるがこのニトリル化合物Ｒ−ＣＮはその状態では瞬時しか存続し得ないのでただちにイソシアネート化合物Ｒ−ＮＣＯとなる。このイソシアネート化合物Ｒ−ＮＣＯは加水分解するとアミン化合物Ｒ−ＮＨ２となる。ただしこの場合、加水分解されるのはイソシアネート化合物Ｒ−ＮＣＯの一部であると考えられる。従って図６Ｂに示されるように生成される還元性中間体の大部分はイソシアネート化合物Ｒ−ＮＣＯおよびアミン化合物Ｒ−ＮＨ２であると考えられる。下流側触媒６２内にて生成された多量の還元性中間体は、塩基性層５７の表面上に付着又は吸着される。
【００３９】
次に、図６Ａに示すように、排気浄化触媒１３に流入する炭化水素の濃度が低くなると、下流側触媒６２では、活性ＮＯＸと生成された還元性中間体とが反応する。ところで、このように活性ＮＯＸが塩基性層５７の表面上に保持された後、或いは活性ＮＯＸが生成された後、活性ＮＯＸ周りの酸素濃度が高い状態が一定時間以上継続すると活性ＮＯＸは酸化され、硝酸イオンＮＯ３−の形で塩基性層５７内に吸収される。しかしながらこの一定時間が経過する前に還元性中間体が生成されると、図６Ａに示されるように活性ＮＯＸは、還元性中間体Ｒ−ＮＣＯやＲ−ＮＨ２と反応してＮ２、ＣＯ２、またはＨ２Ｏとなり、斯くしてＮＯＸが浄化されることになる。なお、この場合、生成された還元性中間体が活性ＮＯＸと反応するまで、十分な量の還元性中間体Ｒ−ＮＣＯやＲ-ＮＨ２を塩基性層５７の表面上に、即ち塩基性の排気流通表面部分５８上保持しておかなければならず、そのために塩基性の排気流通表面部分５８が設けられている。
【００４０】
このように、排気浄化触媒１３に流入する炭化水素の濃度を一時的に高くすることにより還元性中間体を生成し、生成された還元性中間体を活性ＮＯＸと反応させることにより、ＮＯＸが浄化される。即ち、排気浄化触媒１３によりＮＯＸを浄化するには排気浄化触媒１３に流入する炭化水素の濃度を周期的に変化させる必要がある。
【００４１】
無論、この場合、還元性中間体を生成するのに十分高い濃度まで炭化水素の濃度を高める必要がある。即ち、排気浄化触媒１３に流入する炭化水素の濃度を予め定められた範囲内の振幅で振動させる必要がある。
【００４２】
一方、炭化水素の供給周期を長くすると炭化水素が供給された後、次に炭化水素が供給されるまでの間において酸素濃度が高くなる期間が長くなり、従って活性ＮＯＸは還元性中間体を生成することなく硝酸塩の形で塩基性層５７内に吸収されることになる。これを回避するためには排気浄化触媒１３に流入する炭化水素の濃度を予め定められた範囲内の周期でもって振動させることが必要となる。因みに図４に示される例では噴射間隔が３秒とされている。
【００４３】
上述したように炭化水素濃度の振動周期、即ち炭化水素ＨＣの供給周期を予め定められた範囲内の周期よりも長くすると下流側触媒６２において活性ＮＯＸは図７Ａに示されるように硝酸イオンＮＯ３−の形で塩基性層５７内に拡散し、硝酸塩となる。即ち、このときには排気中のＮＯＸは硝酸塩の形で塩基性層５７内に吸収されることになる。
【００４４】
一方、図７ＢはこのようにＮＯＸが硝酸塩の形で塩基性層５７内に吸収されているときに排気浄化触媒１３内に流入する排気の空燃比が理論空燃比又はリッチにされた場合を示している。この場合には排気中の酸素濃度が低下するために反応が逆方向（ＮＯ３−→ＮＯ２）に進み、斯くして塩基性層５７内に吸収されている硝酸塩は順次硝酸イオンＮＯ３−となって図７Ｂに示されるようにＮＯ２の形で塩基性層５７から放出される。次いで放出されたＮＯ２は排気中に含まれる炭化水素ＨＣおよびＣＯによって還元される。
【００４５】
図８は、塩基性層５７のＮＯＸ吸収能力が飽和する少し前に排気浄化触媒１３に流入する排気の空燃比（Ａ／Ｆ）inを一時的にリッチにするようにした場合を示している。なお、図８に示す例ではこのリッチ制御の時間間隔は１分以上である。この場合には排気の空燃比（Ａ／Ｆ）inがリーンのときに塩基性層５７内に吸収されたＮＯＸは、排気の空燃比（Ａ／Ｆ）inが一時的にリッチにされたときに塩基性層５７から一気に放出されて還元される。従ってこの場合には塩基性層５７はＮＯＸを一時的に吸収するための吸収剤の役目を果している。なお、このとき塩基性層５７がＮＯＸを一時的に吸着する場合もあり、従って吸収および吸着の双方を含む用語として吸蔵という用語を用いると、このとき塩基性層５７はＮＯＸを一時的に吸蔵するためのＮＯＸ吸蔵剤の役目を果していることになる。即ち、この場合には、機関吸気通路、燃焼室２および上流側触媒６１上流の排気通路内に供給された空気および燃料（炭化水素）の比を排気の空燃比と称すると、下流側触媒６２は、排気の空燃比がリーンのときにはＮＯＸを吸蔵し、排気中の酸素濃度が低下すると吸蔵したＮＯＸを放出するＮＯＸ吸蔵触媒として機能している。
【００４６】
図９は、排気浄化触媒をこのようにＮＯＸ吸蔵触媒として機能させたときのＮＯＸ浄化率を示している。なお、図９の横軸は下流側触媒６２の触媒温度ＴＣを示している。排気浄化触媒１３をＮＯＸ吸蔵触媒として機能させた場合には図９に示されるように下流側触媒６２の温度ＴＣが３００℃から４００℃のときには極めて高いＮＯＸ浄化率が得られるが触媒温度ＴＣが４００℃以上の高温になるとＮＯＸ浄化率が低下する。
【００４７】
このように触媒温度ＴＣが４００℃以上になるとＮＯＸ浄化率が低下するのは、触媒温度ＴＣが４００℃以上になると硝酸塩が熱分解してＮＯ２の形で下流側触媒６２から放出されるからである。即ち、ＮＯＸを硝酸塩の形で吸蔵している限り、触媒温度ＴＣが高いときに高いＮＯＸ浄化率を得るのは困難である。しかしながら図４から図６Ａおよび図６Ｂに示される新たなＮＯＸ浄化方法では図６Ａおよび図６Ｂからわかるように硝酸塩は生成されず或いは生成されても極く微量であり、斯くして図５に示されるように触媒温度ＴＣが高いときでも高いＮＯＸ浄化率が得られることになる。
【００４８】
このように、本実施の形態の排気浄化装置は、排気浄化触媒１３に流入する炭化水素の濃度を予め定められた範囲内の振幅および予め定められた範囲内の周期でもって振動させると排気中に含まれるＮＯＸを還元する性質を有する。また、本実施の形態の排気浄化装置は、排気浄化触媒１３に流入する炭化水素濃度の振動周期を予め定められた範囲よりも長くすると排気中に含まれるＮＯＸの吸蔵量が増大する性質を有している。
【００４９】
図４から図６Ａおよび図６Ｂに示されるＮＯＸ浄化方法は、貴金属の触媒粒子を担持しかつＮＯＸを吸収しうる塩基性層を形成した触媒を用いた場合において、ほとんど硝酸塩を形成することなくＮＯＸを浄化するようにした新たなＮＯＸ浄化方法であると言うことができる。実際、この新たなＮＯＸ浄化方法を用いた場合には排気浄化触媒１３をＮＯＸ吸蔵触媒として機能させた場合に比べて、塩基性層５７から検出される硝酸塩は極く微量である。なお、この新たなＮＯＸ浄化方法を以下、第１のＮＯＸ浄化方法と称する。本実施の形態における内燃機関は、第１のＮＯＸ浄化方法にてＮＯＸを浄化するために、排気浄化触媒１３に流入する炭化水素の濃度を予め定められた範囲内の振幅および予め定められた範囲内の周期でもって振動させる制御を行なうように形成されている。
【００５０】
次に、図１０から図１５を参照しつつこの第１のＮＯＸ浄化方法についてもう少し詳細に説明する。
【００５１】
図１０は、図４に示される空燃比（Ａ／Ｆ）inの変化を拡大して示している。なお、前述したようにこの排気浄化触媒１３に流入する排気の空燃比（Ａ／Ｆ）inの変化は同時に排気浄化触媒１３に流入する炭化水素の濃度変化を示している。なお、図１０においてΔＨは排気浄化触媒１３に流入する炭化水素ＨＣの濃度変化の振幅を示しており、ΔＴは排気浄化触媒１３に流入する炭化水素濃度の振動周期を示している。
【００５２】
更に図１０において（Ａ／Ｆ）ｂは機関出力を発生するための燃焼ガスの空燃比を示すベース空燃比を表している。言い換えるとこのベース空燃比（Ａ／Ｆ）ｂは炭化水素の供給を停止したときに排気浄化触媒１３に流入する排気の空燃比を表している。一方、図１０において、Ｘは、活性ＮＯＸと改質された炭化水素から十分な量の還元性中間体を生成することができかつ活性ＮＯＸを硝酸塩の形で塩基性層５７内に吸蔵させることなく還元性中間体と反応させることのできる空燃比（Ａ／Ｆ）inの上限を表しており、活性ＮＯＸと改質された炭化水素から十分な量の還元性中間体を生成させかつ活性ＮＯＸを硝酸塩の形で塩基性層５７内に吸蔵させることなく還元性中間体と反応させるには空燃比（Ａ／Ｆ）inをこの空燃比の上限Ｘよりも低くすることが必要となる。
【００５３】
別の言い方をすると図１０のＸは、十分な量の還元性中間体を生成させかつ活性ＮＯＸを還元性中間体と反応させるのに必要な炭化水素の濃度の下限を表しており、十分な量の還元性中間体を生成させかつ活性ＮＯＸを還元性中間体と反応させるには炭化水素の濃度をこの下限Ｘよりも高くする必要がある。この場合、十分な量の還元性中間体が生成されかつ活性ＮＯＸが還元性中間体と反応するか否かは活性ＮＯＸ周りの酸素濃度と炭化水素濃度との比率、即ち空燃比（Ａ／Ｆ）inで決まり、十分な量の還元性中間体を生成させかつ活性ＮＯＸを還元性中間体と反応させるのに必要な上述の空燃比の上限Ｘを以下、要求最小空燃比と称する。
【００５４】
図１０に示される例では要求最小空燃比Ｘがリッチとなっており、従ってこの場合には十分な量の還元性中間体を生成させかつ活性ＮＯＸを還元性中間体と反応させるために空燃比（Ａ／Ｆ）inが瞬時的に要求最小空燃比Ｘ以下に、即ちリッチにされる。これに対し、図１１に示される例では要求最小空燃比Ｘがリーンとなっている。この場合には空燃比（Ａ／Ｆ）inをリーンに維持しつつ空燃比（Ａ／Ｆ）inを周期的に低下させることによって十分な量の還元性中間体が生成されかつ活性ＮＯＸが還元性中間体と反応せしめられる。
【００５５】
この場合、要求最小空燃比Ｘがリッチになるかリーンになるかは上流側触媒６１の酸化力による。この場合、上流側触媒６１は例えば貴金属の担持量を増大させれば酸化力が強まり、酸性を強めれば酸化力が強まる。従って上流側触媒６１の酸化力は貴金属の担持量や酸性の強さによって変化することになる。
【００５６】
さて、酸化力が強い上流側触媒６１を用いた場合に図１１に示されるように空燃比（Ａ／Ｆ）inをリーンに維持しつつ空燃比（Ａ／Ｆ）inを周期的に低下させると、空燃比（Ａ／Ｆ）inが低下せしめられたときに炭化水素が完全に酸化されてしまい、その結果還元性中間体を生成することができなくなる。これに対し、酸化力が強い上流側触媒６１を用いた場合に図１０に示されるように空燃比（Ａ／Ｆ）inを周期的にリッチにさせると空燃比（Ａ／Ｆ）inがリッチにされたときに炭化水素は完全に酸化されることなく部分酸化され、即ち炭化水素が改質され、斯くして十分な量の還元性中間体が生成されかつ活性ＮＯＸが還元性中間体と反応することになる。従って酸化力が強い上流側触媒６１を用いた場合には要求最小空燃比Ｘはリッチにする必要がある。
【００５７】
一方、酸化力が弱い上流側触媒６１を用いた場合には図１１に示されるように空燃比（Ａ／Ｆ）inをリーンに維持しつつ空燃比（Ａ／Ｆ）inを周期的に低下させると、炭化水素は完全に酸化されずに部分酸化され、即ち炭化水素が改質され、斯くして十分な量の還元性中間体が生成されかつ活性ＮＯＸが還元性中間体と反応せしめられる。これに対し、酸化力が弱い上流側触媒６１を用いた場合に図１０に示されるように空燃比（Ａ／Ｆ）inを周期的にリッチにさせると多量の炭化水素は酸化されることなく単に上流側触媒６１から排出されることになり、斯くして無駄に消費される炭化水素量が増大することになる。従って酸化力が弱い上流側触媒６１を用いた場合には要求最小空燃比Ｘはリーンにする必要がある。
【００５８】
即ち、要求最小空燃比Ｘは図１２に示されるように上流側触媒６１の酸化力が強くなるほど低下させる必要があることがわかる。このように要求最小空燃比Ｘは上流側触媒６１の酸化力によってリーンになったり、或いはリッチになったりするが、以下要求最小空燃比Ｘがリッチである場合を例にとって、排気浄化触媒１３に流入する炭化水素の濃度変化の振幅や排気浄化触媒１３に流入する炭化水素濃度の振動周期について説明する。
【００５９】
さて、ベース空燃比（Ａ／Ｆ）ｂが大きくなると、即ち炭化水素が供給される前の排気中の酸素濃度が高くなると空燃比（Ａ／Ｆ）inを要求最小空燃比Ｘ以下とするのに必要な炭化水素の供給量が増大する。従って、炭化水素が供給される前の排気中の酸素濃度が高いほど炭化水素濃度の振幅を大きくする必要がある。
【００６０】
図１３は同一のＮＯＸ浄化率が得られるときの、炭化水素が供給される前の排気中の酸素濃度と炭化水素濃度の振幅ΔＨとの関係を示している。図１３から同一のＮＯＸ浄化率を得るためには炭化水素が供給される前の排気中の酸素濃度が高いほど炭化水素濃度の振幅ΔＨを増大させる必要があることがわかる。即ち、同一のＮＯＸ浄化率を得るにはベース空燃比（Ａ／Ｆ）ｂが高くなるほど炭化水素濃度の振幅ΔＨを増大させることが必要となる。別の言い方をすると、ＮＯＸを良好に浄化するためにはベース空燃比（Ａ／Ｆ）ｂが低くなるほど炭化水素濃度の振幅ΔＨを減少させることができる。
【００６１】
ところでベース空燃比（Ａ／Ｆ）ｂが最も低くなるのは加速運転時であり、このとき炭化水素濃度の振幅ΔＨが２００ｐｐｍ程度あればＮＯＸを良好に浄化することができる。ベース空燃比（Ａ／Ｆ）ｂは通常、加速運転時よりも大きく、従って図１４に示されるように炭化水素濃度の振幅ΔＨが２００ｐｐｍ以上であれば良好なＮＯＸ浄化率を得ることができることになる。
【００６２】
一方、ベース空燃比（Ａ／Ｆ）ｂが最も高いときには炭化水素濃度の振幅ΔＨを１００００ｐｐｍ程度にすれば良好なＮＯＸ浄化率が得られることがわかっている。従って本発明では炭化水素濃度の振幅の予め定められた範囲が２００ｐｐｍから１００００ｐｐｍとされている。
【００６３】
また、炭化水素濃度の振動周期ΔＴが長くなると炭化水素が供給された後、次に炭化水素が供給される間、活性ＮＯＸ周りの酸素濃度が高くなる。この場合、炭化水素濃度の振動周期ΔＴが５秒程度よりも長くなると活性ＮＯＸが硝酸塩の形で塩基性層５７内に吸収され始め、従って図１５に示されるように炭化水素濃度の振動周期ΔＴが５秒程度よりも長くなるとＮＯＸ浄化率が低下することになる。従って炭化水素濃度の振動周期ΔＴは５秒以下とする必要がある。
【００６４】
一方、炭化水素濃度の振動周期ΔＴがほぼ０．３秒以下になると供給された炭化水素が排気浄化触媒１３上に堆積し始め、従って図１５に示されるように炭化水素濃度の振動周期ΔＴがほぼ０．３秒以下になるとＮＯＸ浄化率が低下する。そこで本発明では炭化水素濃度の振動周期が０．３秒から５秒の間とされている。
【００６５】
さて、本発明では炭化水素供給弁１５からの炭化水素供給量および噴射時期を変化させることによって炭化水素濃度の振幅ΔＨおよび振動周期ΔＴが機関の運転状態に応じた最適値となるように制御される。この場合、本発明による実施例ではこの最適な炭化水素濃度の振幅ΔＨを得ることのできる炭化水素供給量Ｗが燃料噴射弁３からの噴射量Ｑおよび機関回転数Ｎの関数として図１６に示すようなマップの形で予めＲＯＭ３２内に記憶されている。また、最適な炭化水素濃度の振動振幅ΔＴ、即ち炭化水素の噴射周期ΔＴも同様に噴射量Ｑおよび機関回転数Ｎの関数としてマップの形で予めＲＯＭ３２内に記憶されている。
【００６６】
次に図１７から図２０を参照しつつ排気浄化触媒１３をＮＯＸ吸蔵触媒として機能させた場合のＮＯＸ浄化方法について具体的に説明する。このように排気浄化触媒１３をＮＯＸ吸蔵触媒として機能させた場合のＮＯＸ浄化方法を以下、第２のＮＯＸ浄化方法と称する。
【００６７】
この第２のＮＯＸ浄化方法では図１７に示されるように塩基性層５７に吸蔵された吸蔵ＮＯＸ量ΣＮＯＸが予め定められた許容量ＭＡＸを越えたときに排気浄化触媒１３に流入する排気の空燃比（Ａ／Ｆ）inが一時的にリッチにされる。排気の空燃比（Ａ／Ｆ）inがリッチにされると排気の空燃比（Ａ／Ｆ）inがリーンのときに塩基性層５７内に吸蔵されたＮＯＸが塩基性層５７から一気に放出されて還元される。それによってＮＯＸが浄化される。
【００６８】
吸蔵ＮＯＸ量ΣＮＯＸは例えば機関から排出されるＮＯＸ量から算出される。本発明による実施例では機関から単位時間当りに排出される排出ＮＯＸ量ＮＯＸＡが噴射量Ｑおよび機関回転数Ｎの関数として図１８に示すようなマップの形で予めＲＯＭ３２内に記憶されており、この排出ＮＯＸ量ＮＯＸＡから吸蔵ＮＯＸ量ΣＮＯＸが算出される。この場合、前述したように排気の空燃比（Ａ／Ｆ）inがリッチにされる周期は通常１分以上である。
【００６９】
この第２のＮＯＸ浄化方法では図１９に示されるように燃焼室２内に燃料噴射弁３から燃焼用燃料Ｑを噴射する主噴射に加え、追加の燃料ＷＲを噴射する補助噴射を行うことによって排気浄化触媒１３に流入する排気の空燃比（Ａ／Ｆ）inがリッチにされる。なお、横軸はクランク角を示している。図１９に示す例において、燃料ＷＲは、燃焼するが機関出力となって現われない時期に、即ち圧縮上死点後ＡＴＤＣ９０°の少し手前で噴射される。この燃料量ＷＲは噴射量Ｑおよび機関回転数Ｎの関数として図２０に示すようなマップの形で予めＲＯＭ３２内に記憶されている。無論、この場合炭化水素供給弁１５からの炭化水素の供給量を増大させることによって排気の空燃比（Ａ／Ｆ）inをリッチにすることもできる。
【００７０】
ところで、本実施の形態における内燃機関の排気浄化装置は、上流側触媒６１の温度を調整する温度制御装置を備える。本実施の形態における温度制御装置は、電気加熱器を含む。本実施の形態においては、上流側触媒６１の基体が電気加熱器として機能する。すなわち本実施の形態における上流側触媒６１は、電気加熱触媒により構成されている。
【００７１】
図２１Ａに、本実施の形態における第１の排気浄化触媒の上流側触媒の概略正面図を示す。図２１Ｂに、本実施の形態における第１の排気浄化触媒の上流側触媒の概略断面図を示す。上流側触媒６１は、触媒粒子を担持するための基体６１ａと、基体６１ａの周りに配置され、基体６１ａを保持するように形成されている外筒６１ｃと含む。基体６１ａは、同心円状に配置されている円筒状の板状部材と、円筒状の板状部材同士の間に配置されている波形状の板状部材とを含む。それぞれの板状部材の間には、排気の流路が構成されている。それぞれの排気の流路の壁面には触媒担体および触媒粒子が配置されている。
【００７２】
基体６１ａのほぼ中央には、中心電極６１ｂが配置されている。本実施の形態における上流側触媒６１は、基体６１ａが抵抗体になるように構成されている。温度制御装置は、中心電極６１ｂと外筒６１ｃとの間に電圧が印加するように形成されている。中心電極６１ｂと外筒６１ｃとの間に電圧が印加されることにより、基体６１ａが発熱する。このように、本実施の形態における第１の排気浄化触媒においては、上流側触媒６１に通電することにより、上流側触媒６１自体が発熱して温度が上昇するように形成されている。上流側触媒６１の通電は、電子制御ユニット３０により制御されている。
【００７３】
電気加熱触媒の構成としては、この形態に限られず、電圧を印加することにより、発熱する任意の構造を採用することができる。例えば、本実施の形態における上流側触媒の基体は、それぞれの板状部材が金属により形成されているが、この形態に限られず、基体はコージェライト等の耐熱性を有する材質から形成されていても構わない。また、電極の構成は、基体に電圧を印加することができる任意の構成を採用することができる。
【００７４】
図２２に、本実施の形態における第１の運転制御のタイムチャートを示す。本実施の形態における排気浄化触媒１３は、上流側触媒６１において炭化水素の少なくとも一部を部分酸化して下流側触媒６２に供給するようにしている。このため、上流側触媒６１において、多くの炭化水素を部分酸化して改質することが好ましい。
【００７５】
上流側触媒６１において多くの炭化水素を部分酸化させるためには、炭化水素供給弁１５から炭化水素が供給されたときに、炭化水素が上流側触媒６１をすり抜けないことが好ましい。炭化水素供給弁１５から供給された多くの炭化水素を上流側触媒６１に保持するためには、上流側触媒６１の温度を低くして炭化水素を吸着させることができる。
【００７６】
一方で、炭化水素を部分酸化するためには、上流側触媒６１の温度が高いことが好ましい。炭化水素供給弁１５から供給される炭化水素は液体である。上流側触媒６１の温度が低いと、炭化水素が液体の状態で上流側触媒に物理的に吸着する。このような温度領域では、部分酸化の効率は低い。ところが、上流側触媒６１の温度が高くなると、炭化水素は気化して反応性に富むようになり、部分酸化の効率が高くなる。炭化水素は、気化しても触媒粒子の酸点等に化学的に吸着される。吸着された炭化水素は、触媒粒子の表面上で部分酸化される。すなわち、上流側触媒６１の温度が上昇しても部分酸化されるまで炭化水素を保持することができる。
【００７７】
本実施の形態における内燃機関では、燃料としての軽油が炭化水素供給弁１５から供給されている。炭化水素が気化して部分酸化の効率が高くなる温度としては、軽油が気化する略３００℃を例示することができる。本発明においては、上流側触媒に流入する炭化水素の部分酸化の効率が予め定められた値になる温度を高効率温度と称する。上流側触媒を高効率温度以上にすることにより、部分酸化の効率を予め定められた効率以上にすることができる。高効率温度は、燃料の種類等に依存する温度であり、たとえば炭化水素が気化される温度を設定することができる。本実施の形態における排気浄化装置では、高効率温度を３００℃に設定することができる。
【００７８】
本実施の形態における上流側触媒６１は、いわゆる酸化触媒であり、酸化能力が所定の値よりも高くなる活性化温度を有する。本実施の形態における上流側触媒６１の活性化温度は、約２００℃である。本実施の形態における上流側触媒６１の高効率温度は、活性化温度よりも高い温度になっている。すなわち、上流側触媒６１の温度が活性化温度よりも高い温度の領域のうち、高効率温度よりも高い温度になることにより、炭化水素を反応性に富む状態にすることができて、多くの炭化水素を部分酸化させることができる。
【００７９】
本実施の形態の温度制御装置は、１回の炭化水素の供給において、上流側触媒６１に炭化水素を供給している期間には上流側触媒６１の温度が高効率温度未満になるように制御する。温度制御装置は、炭化水素を供給した後に上流側触媒６１の温度が高効率温度以上になるように制御する。
【００８０】
本実施の形態においては、上流側触媒６１の温度を検出し、炭化水素を供給している期間に上流側触媒６１の温度が高効率温度未満である場合に、炭化水素を供給した後に上流側触媒６１の温度が高効率温度よりも高くなるように上流側触媒６１を昇温する。
【００８１】
図２２を参照して、本実施の形態における排気浄化装置は、上流側触媒の温度に判定温度が予め設定されている。本実施の形態における判定温度は、上記の部分酸化に関する高効率温度を設定している。判定温度としては、この形態に限られず、高効率温度に基づいて設定することができる。たとえば、高効率温度よりも予め定められた余裕を含めて、高効率温度よりも僅かに高い温度が設定されても構わない。
【００８２】
本実施の形態の排気浄化装置は、運転期間中に上流側触媒の温度が判定温度未満になる期間を有する。例えば、内燃機関の要求負荷が低い状態が継続する場合には、上流側触媒の温度が判定温度未満になる。車両を停止させて内燃機関がアイドリング状態である場合、又は、低速にて定速走行を行っている場合には上流側触媒の温度が判定温度未満になる。また、本実施の形態の排気浄化装置は、運転期間中に上流側触媒の温度が判定温度以上になる期間を有する。例えば、内燃機関の要求負荷が高い状態が継続される場合には、上流側触媒の温度が判定温度以上になる。
【００８３】
本実施の形態における内燃機関は、運転期間中に上流側触媒の温度が判定温度未満になる期間と判定温度以上になる期間とを有するが、この形態に限られず、通常の運転状態において常に上流側触媒が高効率温度未満になっていても構わない。例えば、燃料消費量の改善された高燃費の内燃機関においては、排気の温度が低くなる。このために、上流側触媒の温度が通常の運転状態において判定温度未満になる場合がある。このような内燃機関にも本発明を適用することができる。
【００８４】
図２２に示す例においては、炭化水素供給弁から炭化水素を供給する時刻には、上流側触媒６１の温度が判定温度未満になっている。このために、炭化水素供給弁１５から炭化水素を供給した後に上流側触媒６１に通電する。上流側触媒６１に通電ことにより、上流側触媒６１の温度を判定温度以上まで上昇させることができる。
【００８５】
時刻ｔ１においては、炭化水素供給弁１５から炭化水素を供給している。炭化水素を供給した後の時刻ｔ２において上流側触媒６１に通電を行っている。上流側触媒６１に通電することにより、上流側触媒６１の温度が判定温度以上の状態に移行する。この後に、上流側触媒６１における通電を停止することにより、上流側触媒６１の温度が低下する。上流側触媒６１の温度が判定温度未満になる。時刻ｔ１から時刻ｔ３までの期間が、１回の炭化水素の供給を行っている期間である。
【００８６】
時刻ｔ３以降においては、時刻ｔ１から時刻ｔ３までの制御を繰り返している。すなわち、時刻ｔ３において炭化水素を上流側触媒６１に供給し、時刻ｔ４において上流側触媒６１に通電している。時刻ｔ５において炭化水素を上流側触媒６１に供給し、時刻ｔ６において上流側触媒６１に通電している。
【００８７】
時刻ｔ１から時刻ｔ２までの期間においては、上流側触媒６１の温度が判定温度未満であるために、炭化水素供給弁１５から供給された炭化水素の吸着を促進することができる。すなわち、多くの炭化水素を上流側触媒６１に吸着させることができる。この後に、時刻ｔ２において、通電を行なうことにより上流側触媒６１の温度が上昇し、高効率温度以上になっている。このために、上流側触媒６１において吸着した炭化水素の部分酸化を促進することができる。
【００８８】
本実施の形態における内燃機関では、多くの炭化水素を上流側触媒に吸着させることができ、更に、吸着した炭化水素の部分酸化を促進することができる。このために、上流側触媒において多くの炭化水素を部分酸化して下流側触媒に供給することができる。この結果、ＮＯＸの浄化率の向上を図ることができる。
【００８９】
なお、本実施の形態の内燃機関では、運転状態に依存して炭化水素供給弁から炭化水素を供給するときに、上流側触媒の温度が判定温度以上の場合がある。たとえば、高負荷の運転が継続する場合には、排気の温度が上昇することにより、上流側触媒の温度が判定温度以上に維持される場合がある。本実施の形態における排気浄化装置は、通電を行う時期の前に上流側触媒の温度を検出し、上流側触媒の温度が判定温度以上の場合には、上流側触媒に通電しない制御を行なっている。
【００９０】
図２３に、本実施の形態における内燃機関の第１の運転制御のフローチャートを示す。ステップ１１１においては、上流側触媒６１の温度を検出する。図１を参照して上流側触媒６１の温度は、温度センサ２３により検出することができる。本実施の形態においては、炭化水素を供給する直前に上流側触媒６１の温度を検出している。上流側触媒の温度の検出は、この形態に限られず、炭化水素の供給を行っている期間中または炭化水素の供給が終了した直後に行っても構わない。
【００９１】
ステップ１１２においては、上流側触媒６１の温度が予め定められた判定温度未満であるか否かが判別される。上流側触媒６１の温度が予め定められた判定温度未満の場合には、ステップ１１３に移行する。
【００９２】
ステップ１１３においては、上流側触媒６１の通電量を設定する。たとえば、上流側触媒６１の基体に印加する電圧や通電時間を設定する。本実施の形態においては、予め定められた判定温度と上流側触媒の温度との差に基づいて、上流側触媒に対する通電量を設定する。本実施の形態においては、上流側触媒の温度と温度判定値との差が大きいほど、上流側触媒の温度上昇幅を大きくする制御を行う。すなわち、上流側触媒の通電量を大きくする制御を行う。上流側触媒の通電量は、例えば、判定温度と上流側触媒の温度との差を関数した値を予め電子制御ユニット３０に記憶させておくことができる。
【００９３】
次に、ステップ１１４においては、炭化水素の供給量を読み込む。炭化水素の供給量は、機関回転数等に基づいて、前述の制御により設定することができる（図１６等参照）。次に、ステップ１１５においては、読み込んだ供給量の炭化水素を炭化水素供給弁から供給する。上流側触媒６１の温度は、判定温度未満であるために効率よく炭化水素の吸着を行うことができる。
【００９４】
次に、ステップ１１６においては、炭化水素を供給した後にステップ１１３において設定した通電量にて上流側触媒６１に通電する。上流側触媒６１の温度を判定温度以上にすることができて、効率良く部分酸化を行うことができる。
【００９５】
ステップ１１２において上流側触媒６１の温度が判定温度以上の場合には、ステップ１１７に移行する。この場合に、上流側触媒６１は、炭化水素を十分に部分酸化できる温度になっている。このために、上流側触媒６１に対して通電を行わずに炭化水素の供給を行う。
【００９６】
ステップ１１７においては、ステップ１１４と同様に炭化水素の供給量を読み込む。次に、ステップ１１８において、読み込んだ供給量にて炭化水素の供給を行う。
【００９７】
このように、本実施の形態の第１の運転制御において、温度制御装置は、排気浄化触媒に炭化水素が供給されて上流側触媒６１に炭化水素が吸着した後に、上流側触媒の温度を上昇させる制御を行っている。
【００９８】
たとえば、排気浄化装置は、排気の温度を上昇させたり、上流側触媒に通電したりすることにより、上流側触媒の温度が常に高効率温度以上になるように制御することが可能である。しかし、この場合には、炭化水素の吸着量が少なくなり、上流側触媒をすり抜ける炭化水素の量が多くなる。または、炭化水素の吸着量を多くするために、常に上流側触媒の温度を高効率温度未満に維持することが可能である。しかし、この場合には、部分酸化を行うときの効率が低くなる。
【００９９】
本実施の形態の排気浄化装置のように、炭化水素を吸着するための低温の期間と炭化水素を部分酸化するための高温の期間とを設けることにより、多くの炭化水素を吸着できると共に、吸着した炭化水素を効率よく改質することができる。なお、本実施の形態においては、炭化水素の供給の期間が終了した後に、上流側触媒の通電を開始している。すなわち、上流側触媒に炭化水素が吸着した後に通電を開始しているが、この形態に限られず、炭化水素を供給している期間中に上流側触媒の通電を開始しても構わない。
【０１００】
本実施の形態における運転制御の上流側触媒に通電を行っている時間は、炭化水素供給弁から炭化水素を供給した後の短い時間である。このために、上流側触媒に連続的に通電して、上流側触媒の温度を常に高効率温度以上に維持する運転制御よりも消費電力量を小さくすることができる。
【０１０１】
本実施の形態の第１の運転制御における温度制御装置は、電気加熱触媒として機能する上流側触媒に通電することにより上流側触媒の温度を上昇させているが、この形態に限られず、温度制御装置は任意の装置および任意の制御により上流側触媒の温度を調整することができる。
【０１０２】
図２４に、本実施の形態における第２の運転制御のタイムチャートを示す。第２の運転制御における温度制御装置は、燃焼室において出力を生じる主噴射の後に、補助噴射を行なうことにより上流側触媒の温度を上昇させる。補助噴射を行うことにより軽質になった燃料を上流側触媒に供給する。上流側触媒において軽質になった燃料が酸化されることにより、上流側触媒の温度が上昇する。
【０１０３】
本実施の形態の第２の運転制御における補助噴射は、燃焼室において、燃料が燃焼しない時期に噴射されるポスト噴射を行っている。ポスト噴射は、たとえば膨張行程の後半の時期に行うことができる。補助噴射により噴射された燃料は、燃焼室が高温であるために、少なくとも一部の燃料が軽質になる。軽質な燃料は、酸化反応が生じやすいために、上流側触媒において容易に酸化され、上流側触媒の温度を上昇させることができる。なお、第２の運転制御を行うときには、上流側触媒にて軽質な燃料を酸化するために、上流側触媒に流入する排気の空燃比がリーンであることが好ましい。
【０１０４】
図２４に示す例では、時刻ｔ１において炭化水素供給弁から炭化水素を供給する。時刻ｔ２において、補助噴射としてのポスト噴射を開始している。ポスト噴射を行うことにより、上流側触媒の温度が判定温度未満の状態から判定温度以上の状態に移行している。ポスト噴射を停止することにより、上流側触媒の温度が元の温度まで下降する。上流側触媒の温度が判定温度未満になる。
【０１０５】
時刻ｔ３において、再び炭化水素の供給を行なっている。時刻ｔ３以降の運転制御は、時刻ｔ１から時刻ｔ３までの制御を繰り返して行っている。このように、燃焼室における補助噴射を行うことにより、上流側触媒の温度を判定温度以上に上昇させることができる。また、補助噴射を停止することにより、上流側触媒の温度を判定温度未満まで低下させることができる。
【０１０６】
本実施の形態の第２の運転制御は、電気加熱触媒を用いなくても上流側触媒の昇温を行なうことができる。すなわち、燃焼室における燃料の噴射制御の変更により、上流側触媒の温度を上昇させる制御および温度を低下させる制御を行うことができる。
【０１０７】
本実施の形態の第２の運転制御において、補助噴射は燃料が燃焼しない時期に燃料を噴射しているが、この形態に限られず、燃料の一部が燃焼する時期に燃料を噴射しても構わない。たとえば、補助噴射として、燃料の一部が燃焼するアフター噴射を行うことにより、軽質な炭化水素を上流側触媒に供給しても構わない。
【０１０８】
図２５に、本実施の形態における内燃機関の第３の運転制御のタイムチャートを示す。第３の運転制御の温度制御装置は、炭化水素供給弁１５からＮＯＸを浄化するための炭化水素を供給した後に、更に少量の炭化水素を供給することにより、上流側触媒６１の昇温を行う。上流側触媒６１において酸化反応を生じさせて、炭化水素の酸化熱により上流側触媒６１の温度を上昇させることができる。
【０１０９】
図２５に示す例においては、時刻ｔ１において炭化水素供給弁１５から炭化水素を供給し、上流側触媒６１に炭化水素を吸着させる。本実施の形態においては、炭化水素を吸着させる時には、上流側触媒６１に流入する排気の空燃比はリッチである。このために、上流側触媒６１における炭化水素の酸化は抑制される。
【０１１０】
時刻ｔ２において、時刻ｔ１にて供給を開始した炭化水素の供給における供給量よりも少ない供給量にて炭化水素の供給を開始する。時刻ｔ２から炭化水素を供給する場合には、上流側触媒６１に流入する排気の空燃比がリーンになるように制御を行う。このために、時刻ｔ２から炭化水素を供給することにより、上流側触媒６１にて酸化反応が生じて温度を上昇させることができる。時刻ｔ３以降は、時刻ｔ１から時刻ｔ３までの制御を繰り返している。
【０１１１】
本実施の形態の第３の運転制御においては、炭化水素供給弁１５から上流側触媒６１の温度を上昇させるために炭化水素を供給している。このために、燃焼室においてポスト噴射等の補助噴射を行わずに上流側触媒に昇温用の炭化水素を供給することができる。例えば、ポスト噴射等を頻繁に行なうことにより、気筒内の壁面に付着する燃料が多くなる。気筒内の壁面に付着した燃料は、気筒内の壁面とピストンとの接触面からクランクケースの内部に流入し、潤滑油に混入する。潤滑油に混入する燃料が多くなると、潤滑油が劣化したり変質したりする場合がある。
【０１１２】
本実施の形態の第３の運転制御においては、燃焼室において上流側触媒の昇温用の補助噴射を回避することができて、機関本体の潤滑油の変質や劣化を抑制することができる。また、電気加熱触媒を用いなくても上流側触媒の昇温を行なうことができる。
【０１１３】
ところで、上流側触媒の温度を調整する温度制御装置としては、上流側触媒の温度を上昇させる装置に限られず、上流側触媒の温度を低下させる装置であっても構わない。たとえば、運転期間中に上流側触媒が高効率温度よりも高い温度に維持される内燃機関においては、上流側触媒の温度を低下させることができる。特に、炭化水素供給弁から炭化水素を供給する前に上流側触媒を高効率温度未満に低下させることができる。上流側触媒の温度を低下させることにより、上流側触媒における炭化水素の吸着量を増加させることができる。炭化水素供給弁により炭化水素を供給した後には、温度を低下させる制御を停止することにより、上流側触媒の温度を上昇させることができる。上流側触媒を高効率温度以上にすることにより、炭化水素の部分酸化を効率よく行うことができる。
【０１１４】
上流側触媒の温度を低下させる装置としては、例えば、上流側触媒に流入する排気の空燃比がリッチになるように炭化水素供給弁から炭化水素を供給し、更に、炭化水素の供給量を所望の量以上にすることができる。または、上流側触媒の温度を低下させる冷却器が配置されていても構わない。例えば、上流側触媒の周りに上流側触媒の温度を低下させる冷却器が配置されていても構わない。または、上流側触媒よりも上流の機関排気通路に排気を冷却する冷却器が配置されていても構わない。
【０１１５】
本実施の形態の排気浄化触媒においては、上流側に酸化触媒が配置され、下流側に貴金属の触媒粒子が担持されているとともに、塩基性の排気流通表面部分を有する触媒が配置されているが、この形態に限られず、上流側触媒は酸化能力を有する任意の触媒を採用することができる。更に、上流側触媒は、炭化水素を部分酸化して改質できる任意の触媒を採用することができる。たとえば、上流側触媒は、触媒粒子の構成が三元触媒の触媒粒子の構成と同様であっても構わない。または、上流側触媒は、本実施の形態における下流側触媒と同様の構成を有していても構わない。すなわち、上流側触媒は、貴金属の触媒粒子と触媒粒子の周りに形成された塩基性の排気流通表面部分とを有していても構わない。
【０１１６】
上流側触媒が本実施の形態における下流側触媒と同様の構成を有する場合には、第１のＮＯＸ浄化方法において、上流側触媒において還元性中間体を生成することができる。上流側触媒に流入する排気の炭化水素の濃度が低いときには、ＮＯＸを活性化して活性ＮＯＸを生成する。生成された活性ＮＯＸは、塩基性層の表面上に保持される。排気の炭化水素の濃度が高くなると炭化水素を部分酸化して炭化水素のラジカルを生成する。活性ＮＯＸと部分酸化された炭化水素とが反応して還元性中間体が生成される。上流側触媒においても生成された還元性中間体によりＮＯＸを還元して浄化することができる。または、上流側触媒において生成された還元性中間体を下流側触媒に供給することができる。
【０１１７】
上流側触媒が本実施の形態における下流側触媒と同様の構成を有する場合においても、本実施の形態における第２のＮＯＸ浄化方法を行なうことができる。すなわち、炭化水素供給弁からの炭化水素の供給間隔を長くすることにより、上流側触媒はＮＯＸ吸蔵触媒として機能する。上流側触媒および下流側触媒をＮＯＸ吸蔵触媒として機能させることにより、第２のＮＯＸ浄化方法を行う場合に容量を大きくすることができる。
【０１１８】
上流側触媒および下流側触媒の両方が、貴金属の触媒粒子および塩基性の排気流通表面部分を有する触媒である場合には、下流側触媒に電気加熱触媒が採用されていても構わない。または、上流側触媒および下流側触媒の両方が電気加熱触媒であっても構わない。すなわち、上流側触媒および下流側触媒のうち少なくとも一方の触媒を電気加熱触媒により構成することができる。
【０１１９】
図２６に、本実施の形態における第２の排気浄化触媒の概略断面図を示す。上記の形態における排気浄化触媒は、上流側触媒と下流側触媒とに分割されている。第２の排気浄化触媒においては、上流側触媒と下流側触媒とが一体化された触媒が採用されている。排気浄化触媒１３は、第１の排気浄化触媒の下流側触媒と同様に、触媒作用を有する金属と、触媒粒子の周りに形成されている塩基性の排気流通表面部分とを有する。本実施の形態においては、触媒担体の表面に、貴金属の触媒粒子と塩基性層とが配置されている。
【０１２０】
第２の排気浄化触媒１３は、電気加熱触媒により構成されている。第２の排気浄化触媒１３の上流側には、炭化水素供給弁１５が配置されている。第２の排気浄化触媒１３の下流側には、第２の排気浄化触媒１３の温度を検出する温度センサ２３が配置されている。
【０１２１】
第２の排気浄化触媒１３においても、本実施の形態における第１のＮＯＸ浄化方法にてＮＯＸを浄化することができる。すなわち、第２の排気浄化触媒１３に流入する炭化水素の濃度を予め定められた範囲内の振幅および予め定められた範囲内の周期でもって振動させることにより、ＮＯＸを浄化することができる。この場合には、第２の排気浄化触媒１３は、第１の排気浄化触媒における上流側触媒として機能し、更に、下流側触媒として機能する。すなわち、第２の排気浄化触媒１３の内部において、炭化水素をラジカル状に改質する。更に、改質された炭化水素と活性ＮＯＸとにより、還元性中間体を生成する。生成した還元性中間体によりＮＯＸを浄化することができる。または、第２の排気浄化触媒１３においても、本実施の形態における第２のＮＯＸ浄化方法を行なうことができる。
【０１２２】
第２の排気浄化触媒１３においても、本実施の形態における運転制御を行うことができる。第２の排気浄化触媒１３は、炭化水素を部分酸化するときに予め定められた効率にて部分酸化できる高効率温度を有する。温度制御装置は、炭化水素を供給している期間には高効率温度未満になり、炭化水素を供給した後に高効率温度以上になるように、第２の排気浄化触媒の温度を調整することができる。この制御を行うことにより、炭化水素を効率よく部分酸化することができて、ＮＯＸの浄化率の向上を図ることができる。
【０１２３】
ところで、図２６に示す第２の排気浄化触媒においては、排気浄化触媒１３よりも上流側の排気管１２の内部において排気の速度分布が生じている。すなわち、排気管１２のほぼ中央においては排気の速度が大きく、排気管１２の内壁に近づくにつれて排気の速度が遅くなっている。さらに、機関排気通路の内径が徐々に大きくなっている断面拡大部７０では、矢印９１に示すように排気に渦の流れが生じる場合がある。炭化水素供給弁１５から供給された炭化水素は、排気管１２の内部における排気の速度分布および断面拡大部７０における排気の流れの乱れにより拡散される。このために、排気浄化触媒１３の基体に流入する排気の炭化水素の濃度が低くなったり、炭化水素の濃度が不均一になったりする場合がある。
【０１２４】
図２７に、本実施の形態における第３の排気浄化触媒の概略断面図を示す。第３の排気浄化触媒１３は、上流側触媒６１および下流側触媒６２を含む。上流側触媒６１の基体および下流側触媒６２の基体は、円柱状に形成されている。上流側触媒６１の基体の径は、下流側触媒６２の基体の径よりも小さく形成されている。
【０１２５】
第３の排気浄化触媒１３においては、上流側触媒６１に径の小さな基体が採用されている。排気管１２の流路断面積は小さいために、上流側触媒６１に流入する排気に含まれる炭化水素の拡散を抑制することができる。また、上流側触媒６１の内部の流路は内径が小さいために、内部の流路を通るときに排気の速度が均一化される。上流側触媒６１から排気が流出するときには、排気の速度が均一化されている。このために、断面拡大部７０において渦等が生じることを抑制し、炭化水素の濃度が均一な排気を下流側触媒６２に供給することができる。または、炭化水素が拡散して、下流側触媒６２に流入する炭化水素の濃度が低くなることを抑制することができる。
【０１２６】
ところが、第３の排気浄化触媒１３においては、上流側触媒６１の上流側の端面の面積が小さいために排気に含まれる炭化水素の密度が高くなる。たとえば、上流側触媒６１に流入する排気の空燃比がリッチになる場合がある。このために、排気浄化触媒１３の内部において炭化水素の酸化を生じさせて温度を上昇させることが難しくなる。このような上流側触媒６１が小型の排気浄化触媒１３においては、上流側触媒６１を電気加熱触媒により構成することができる。第３の排気浄化触媒においても、炭化水素を供給した後に、上流側触媒６１を昇温することにより、部分酸化された炭化水素を効率よく下流側触媒６２に供給することができる。
【０１２７】
また、上記の形態における上流側触媒の基体および下流側触媒の基体は、円柱状に形成されているが、この形態に限られず、任意の形状を採用することができる。
【０１２８】
図２８Ａに、本実施の形態における第４の排気浄化触媒の概略断面図を示す。図２８Ｂに、本実施の形態における第４の排気浄化触媒の上流側触媒の概略斜視図を示す。第４の排気浄化触媒１３は、上流側触媒６１と下流側触媒６２とを含む。上流側触媒６１は、排気の流れ方向に沿って、基体の径が徐々に大きくなる形状を有する。上流側触媒６１の基体は、円錐形の尖端を切り欠いた形状を有する。上流側触媒６１の内部に形成されている複数の流路７１は、排気の流れ方向に沿って徐々に流路断面積が大きくなっている。下流側触媒６２は円柱状に形成されている。
【０１２９】
第４の排気浄化触媒は、上流側触媒６１の径が排気の流れ方向に沿って徐々に大きくなっているために、断面拡大部における排気の流れの乱れを抑制することができる。基体の内部の流路７１の流路断面積は小さいために、複数の流路７１の内部では渦等の流れの乱れが生じにくい。上流側触媒６１から排気が流出するときには、排気の速度が均一化されている。このために、下流側触媒６２に流入する炭化水素の濃度をほぼ均一にすることができる。または、排気に含まれる炭化水素が拡散して、下流側触媒６２に流入する炭化水素の濃度が低くなることを抑制することができる。
【０１３０】
第４の排気浄化触媒の上流側触媒６１においても、排気が流入する基体の端面の面積が小さいために、炭化水素の密度が大きくなる。しかしながら、上流側触媒６１を電気加熱触媒により構成することができる。第４の排気浄化触媒においても、炭化水素を供給した後に、上流側触媒６１を昇温することにより、部分酸化された炭化水素を効率よく下流側触媒６２に供給することができる。
【０１３１】
上記のそれぞれの制御は、機能および作用を変更しない範囲にて適宜ステップの順序を変更することができる。上記の実施の形態は、適宜組み合わせることができる。上述のそれぞれの図において、同一または相等する部分には同一の符号を付している。なお、上記の実施の形態は例示であり発明を限定するものではない。また、実施の形態においては、特許請求の範囲に示される変更が含まれている。
【符号の説明】
【０１３２】
２    燃焼室
３    燃料噴射弁
１３    排気浄化触媒
１５    炭化水素供給弁
３０    電子制御ユニット
５０    触媒担体
５１    触媒粒子
５４    触媒担体
５５，５６    触媒粒子
５７    塩基性層
５８    排気流通表面部分
６１    上流側触媒
６２    下流側触媒
７０    断面拡大部
【手続補正２】
【補正対象書類名】特許請求の範囲
【補正対象項目名】全文
【補正方法】変更
【補正の内容】
【特許請求の範囲】
【請求項１】
機関排気通路内に排気に含まれるＮＯＸと炭化水素とを反応させるための排気浄化触媒を備え、排気浄化触媒は、上流側触媒と下流側触媒とを含み、上流側触媒は酸化能力を有し、下流側触媒は、排気流通表面上に貴金属の触媒粒子が担持されていると共に触媒粒子の周りには塩基性の排気流通表面部分が形成されており、
排気浄化触媒は、排気浄化触媒に流入する炭化水素の濃度を予め定められた範囲内の振幅および予め定められた範囲内の周期でもって振動させると排気中に含まれるＮＯＸを還元する性質を有すると共に、炭化水素濃度の振動周期を前記予め定められた範囲よりも長くすると排気中に含まれるＮＯＸの吸蔵量が増大する性質を有しており、
機関運転時に排気浄化触媒に流入する炭化水素の濃度を前記予め定められた範囲内の振幅および前記予め定められた範囲内の周期でもって振動させ、排気中に含まれるＮＯＸを排気浄化触媒において還元する制御を行なうように形成されており、
上流側触媒の温度を調整する温度制御装置を更に備え、
排気浄化触媒は、炭化水素の濃度を前記予め定められた範囲内の振幅および前記予め定められた範囲内の周期でもって振動させることにより、上流側触媒において少なくとも一部の炭化水素を部分酸化し、
上流側触媒は、炭化水素を部分酸化するときに予め定められた効率にて部分酸化できる高効率温度を有し、
温度制御装置は、炭化水素を供給している期間には上流側触媒が高効率温度未満になり、炭化水素を供給した後に上流側触媒が高効率温度以上になるように、上流側触媒の温度を調整することを特徴とする、内燃機関の排気浄化装置。
【請求項２】
温度制御装置は、排気浄化触媒に炭化水素が供給されて上流側触媒に炭化水素が吸着した後に上流側触媒の温度を上昇させる、請求項１に記載の内燃機関の排気浄化装置。
【請求項３】
上流側触媒の高効率温度に基づいた上流側触媒の判定温度が予め定められており、
温度制御装置は、上流側触媒の温度を検出し、上流側触媒の温度が判定温度未満の場合に、判定温度と上流側触媒の温度との差に基づいて上流側触媒の温度を上昇させる、請求項１に記載の内燃機関の排気浄化装置。
【請求項４】
上流側触媒は、電気加熱触媒により構成されており、
温度制御装置は、上流側触媒に通電することにより上流側触媒の温度を上昇させる、請求項１に記載の内燃機関の排気浄化装置。
【請求項５】
温度制御装置は、燃焼室において出力を生じる主噴射の後に補助噴射を行なうことにより、軽質の燃料を上流側触媒に供給し、上流側触媒において燃料が酸化することにより上流側触媒の温度を上昇させる、請求項１に記載の内燃機関の排気浄化装置。
【請求項６】
排気浄化触媒は、上流側触媒と下流側触媒とが一体化された触媒により構成されている、請求項１に記載の内燃機関の排気浄化装置。
【国際調査報告】
2013080330.tif 000036
2013080330.tif 000037